(57)【特許請求の範囲】
【請求項１】
第１のネットワークと第２のネットワークとの間に結合されたインターワーキングゲートウェイにおいて、第１のデータレートで生成されたメディアの第１のセットを第１のユーザ機器（ＵＥ）から受信することと、ここにおいて、前記メディアの第１のセットは、前記第１のネットワーク内で生成された明示的輻輳指示輻輳遭遇（ＥＣＮ−ＣＥ）マーキングを含む、
前記ＥＣＮ−ＣＥマーキングに応答して、前記第１のネットワーク中の前記第１のユーザ機器（ＵＥ）から、より低いデータレートを要求するデータレート調整要求を、前記第１のネットワークに与えることと、
前記インターワーキングゲートウェイにおいて、前記データレート調整要求に応答して第２のデータレートで前記第１のＵＥから送られたメディアの第２のセットを受信することと、
前記メディアの第２のセットを、前記インターワーキングゲートウェイから前記第２のネットワークに、送ることと
を備え、前記メディアの第２のセットは、前記第１のネットワークにおいて追加されたＥＣＮマーキングを削除するように修正され、前記メディアのセットを前記送ることは、前記修正されたメディアを送ることを備える、
通信を提供するための方法。
【請求項２】
前記メディアの第１のセットおよび前記メディアの第２のセットは、前記第２のネットワーク中の第２のＵＥへの送信のために前記第１のネットワーク中の前記第１のＵＥによって生成される、
請求項１に記載の方法。
【請求項３】
第１のネットワークと第２のネットワークとの間に結合されたインターワーキングゲートウェイにおいて、第１のデータレートで生成されたメディアの第１のセットを受信することと、ここにおいて、前記メディアの第１のセットは、前記第１のネットワーク内で生成された明示的輻輳指示輻輳遭遇（ＥＣＮ−ＣＥ）マーキングを含む、
前記ＥＣＮ−ＣＥマーキングを削除するように前記メディアの第１のセットを修正することと、
前記メディアの修正された第１のセットを前記第２のネットワークに送ることと
を備える、通信を提供するための方法。
【請求項４】
前記第１のネットワークは、ＥＣＮ対応ネットワークであり、前記第２のネットワークは、非ＥＣＮ対応ネットワークである、
請求項１または３に記載の方法。
【請求項５】
前記データレート調整要求は、ＴＭＭＢＲを備える、
請求項１または３に記載の方法。
【請求項６】
前記第１のネットワークおよび前記第２のネットワークは、ワイヤレス通信ネットワークである、
請求項１または３に記載の方法。
【請求項７】
第１のデータレートで生成されたメディアの第１のセットを第１のユーザ機器（ＵＥ）から受信することと、ここにおいて、前記メディアの第１のセットは、第１のネットワーク内で生成された明示的輻輳指示輻輳遭遇（ＥＣＮ−ＣＥ）マーキングを含む、
前記ＥＣＮ−ＣＥマーキングに応答して、前記第１のネットワーク中の前記第１のＵＥから、より低いデータレートを要求するデータレート調整要求を、前記第１のネットワークに与えることと、
前記インターワーキングゲートウェイにおいて、前記データレート調整要求に応答して第２のデータレートで前記第１のＵＥから送られたメディアの第２のセットを受信することと、
前記メディアの第２のセットを、前記インターワーキングゲートウェイから第２のネットワークに、送ることと
をインターワーキングゲートウェイのコンピュータに行わせるためのコードを備え、前記メディアの第２のセットは、前記第１のネットワークにおいて追加されたＥＣＮマーキングを削除するように修正され、前記メディアの第２のセットを前記送ることは、前記修正されたメディアを送ることを備える、
コンピュータプログラム。
【請求項８】
前記メディアの第１のセットおよび前記メディアの第２のセットは、前記第２のネットワーク中の第２のＵＥへの送信のために前記第１のネットワーク中の前記第１のＵＥによって生成される、
請求項７に記載のコンピュータプログラム。
【請求項９】
第１のネットワークと第２のネットワークとの間に結合されたインターワーキングゲートウェイにおいて、第１のデータレートで生成されたメディアの第１のセットを受信することと、ここにおいて、前記メディアの第１のセットは、前記第１のネットワーク内で生成されたＥＣＮ−ＣＥマーキングを含む、
前記ＥＣＮ−ＣＥマーキングを削除するように前記メディアの第１のセットを修正することと、
前記メディアの修正された第１のセットを第２のネットワークに送ることと
をインターワーキングゲートウェイのコンピュータに行わせるためのコードを備える、
コンピュータプログラム。
【請求項１０】
前記第１のネットワークは、ＥＣＮ対応ネットワークであり、前記第２のネットワークは、非ＥＣＮ対応ネットワークである、
請求項７または９に記載のコンピュータプログラム。
【請求項１１】
前記データレート調整要求は、ＴＭＭＢＲを備える、
請求項７または９に記載のコンピュータプログラム。
【請求項１２】
第１のデータレートで生成されたメディアの第１のセットを第１のネットワークから受信するように構成された第１のネットワークインターフェースモジュールと、ここにおいて、前記メディアの第１のセットは、前記第１のネットワーク内で生成された明示的輻輳指示輻輳遭遇（ＥＣＮ−ＣＥ）マーキングを含む、
前記指示に応答して、データレート調整要求を生成するように構成されたプロセッサモジュールと、
ここにおいて、前記第１のネットワークインターフェースモジュールは、前記データレート調整要求を前記第１のネットワーク中の第１のＵＥに与え、前記データレート調整要求に応答して第２のデータレートで前記第１のＵＥから送られたメディアの第２のセットを受信するように構成される、
前記メディアの第２のセットを第２のネットワークに送るように構成された第２のネットワークインターフェースモジュールと
を備え、前記プロセッサモジュールは、修正されたメディアを生成するために前記メディアの第２のセットからＥＣＮマーキングを削除するようにさらに構成され、前記メディアの第２のセットを前記送ることは、前記修正されたメディアを送ることを備える、
インターワーキングゲートウェイ。
【請求項１３】
前記メディアの第１のセットおよび前記メディアの第２のセットは、前記第２のネットワーク中の第２のＵＥへの送信のために前記第１のネットワーク中の前記第１のＵＥによって生成される、
請求項１２に記載のゲートウェイ。
【請求項１４】
第１のデータレートで生成されたメディアの第１のセットを第１のネットワークから受信するように構成された第１のネットワークインターフェースモジュールと、ここにおいて、前記メディアの第１のセットは、前記第１のネットワーク内で生成されたＥＣＮ−ＣＥマーキングを含む、
前記ＥＣＮ−ＣＥマーキングを削除するように前記メディアの第１のセットを修正するように構成されるプロセッサモジュールと、
前記メディアの修正された第１のセットを第２のネットワークに送るように構成された第２のネットワークインターフェースモジュールと
を備えるインターワーキングゲートウェイ。
【請求項１５】
前記第１のネットワークがＥＣＮ対応ネットワークであり、前記第２のネットワークが非ＥＣＮ対応ネットワークである、
請求項１２または１４に記載のゲートウェイ。
【請求項１６】
前記プロセッサモジュールは、前記データレート調整要求をＴＭＭＢＲとして生成するように構成される、
請求項１２または１４に記載のゲートウェイ。
【請求項１７】
前記第１のネットワークおよび前記第２のネットワークは、ワイヤレス通信ネットワークである、
請求項１２または１４に記載のゲートウェイ。
【請求項１８】
第１のデータレートで生成されたメディアの第１のセットを第１のユーザ機器（ＵＥ）から受信するための手段と、ここにおいて、前記メディアの第１のセットは、第１のネットワーク内で生成された明示的輻輳指示輻輳遭遇（ＥＣＮ−ＣＥ）マーキングを含む、
前記ＥＣＮ−ＣＥマーキングに応答して、第１のネットワーク中の前記第１のＵＥから、より低いデータレートを要求するデータレート調整要求を前記第１のネットワークに与えるための手段と、
前記データレート調整要求に応答して第２のデータレートで前記第１のＵＥから送られたメディアの第２のセットを受信するための手段と、
前記メディアの第２のセットを、第２のネットワークに、送るための手段と
を備え、前記メディアの第２のセットは、前記第１のネットワークにおいて追加されたＥＣＮマーキングを削除するように修正され、前記メディアの第２のセットを前記送ることは、前記修正されたメディアを送ることを備える、
インターワーキングゲートウェイ。
【請求項１９】
第１のデータレートで生成されたメディアの第１のセットを受信するための手段と、ここにおいて、前記メディアの第１のセットは、第１のネットワーク内で生成されたＥＣＮ−ＣＥマーキングを含む、
前記ＥＣＮ−ＣＥマーキングを削除するように前記メディアの第１のセットを修正するための手段と、
前記メディアの修正された第１のセットを第２のネットワークに送るための手段と
を備える、インターワーキングゲートウェイ。
【請求項２０】
前記第１のネットワークおよび前記第２のネットワークは、ワイヤレス通信ネットワークである、
請求項１８または１９に記載のゲートウェイ。
【請求項２１】
前記第１のネットワークは、ＥＣＮ対応ネットワークであり、前記第２のネットワークは、非ＥＣＮ対応ネットワークである、
請求項１８または１９に記載のゲートウェイ。
【請求項２２】
インターワーキングゲートウェイにおいて通信を行うための方法であって、
第１のネットワーク中の第１のＵＥからデータレート調整要求を受信することと、ここにおいて、前記データレート調整要求は、第２のネットワーク中の第２のＵＥから与えられたメディアの第１のセット中の明示的輻輳通知（ＥＣＮ）マーキングの受信に応答して前記第１のＵＥから与えられる、
前記データレート低減要求に合わせて調整されたデータレートを前記第２のＵＥがサポートすることができるかどうか前記インターワーキングゲートウェイが判断することに基づいて、前記データレート調整要求を処理することと
を備える、方法。
【請求項２３】
前記データレート調整要求を前記処理することは、前記データレート調整要求に合わせて調整されたデータレートを前記第２のＵＥがサポートすることができると前記インターワーキングゲートウェイが判断した場合、前記第２のＵＥにデータレート調整情報をフォワーディングすることを備える、
請求項２２に記載の方法。
【請求項２４】
前記インターワーキングゲートウェイは、前記インターワーキングゲートウェイと前記第２のＵＥとの間のネゴシエーションセッション中に調整されたデータレートを前記第２のＵＥがサポートすることができると判断する、
請求項２３に記載の方法。
【請求項２５】
前記データレート調整要求を前記処理することは、前記データレート調整要求に合わせて調整されたデータレートを前記第２のＵＥがサポートできないと前記インターワーキングゲートウェイが判断した場合、データレート低減要求に合わせて、前記第２のＵＥから受信されたメディアをトランスコードすることを備える、
請求項２２に記載の方法。
【請求項２６】
前記トランスコードすることは、前記第１のネットワークにおける輻輳を緩和するために、前記第２のＵＥから受信された前記メディアの前記メディアデータレートを低下させることを備える、
請求項２５に記載の方法。
【請求項２７】
前記インターワーキングゲートウェイにおいて、前記第２のネットワーク中の前記第２のＵＥから与えられた前記メディアの第１のセットを受信することと、
ＥＣＮマーキングにより前記メディアの第１のセットをマーキングすることと、
前記第１のＵＥへの送信のために前記マーキングされたメディアの第１のセットを前記第１のネットワークに与えることと
をさらに備える、請求項２２に記載の方法。
【請求項２８】
前記マーキングすることは、ＥＣＮトランスポート対応（ＥＣＴ）マーキングおよびＥＣＮ輻輳遭遇（ＥＣＮ−ＣＥ）マーキングのうちの少なくとも１つを備える、
請求項２７に記載の方法。
【請求項２９】
第１のネットワーク中の第１のＵＥからデータレート調整要求を受信することと、ここにおいて、前記データレート調整要求は、第２のネットワーク中の第２のＵＥから与えられたメディアの第１のセット中の明示的輻輳通知（ＥＣＮ）マーキングの受信に応答して前記第１のＵＥから与えられる、
前記データレート低減要求に合わせて調整されたデータレートを前記第２のＵＥがサポートすることができるかどうか前記インターワーキングゲートウェイが判断することに基づいて、前記データレート調整要求を処理することと
をインターワーキングゲートウェイのコンピュータに行わせるためのコードを備える、コンピュータプログラム。
【請求項３０】
前記データレート調整要求を処理することは、前記データレート調整要求に合わせて調整されたデータレートを前記第２のＵＥがサポートすることができると前記インターワーキングゲートウェイが判断した場合、前記第２のＵＥにデータレート調整情報をフォワーディングすることを備える、
請求項２９に記載のコンピュータプログラム。
【請求項３１】
前記コードは、前記インターワーキングゲートウェイと前記第２のＵＥとの間のネゴシエーションセッション中に調整されたデータレートを前記第２のＵＥがサポートすることができると判断することを前記コンピュータに行わせるためのコードを備える、
請求項３０に記載のコンピュータプログラム。
【請求項３２】
前記コードは、前記データレート調整要求に合わせて調整されたデータレートを前記第２のＵＥがサポートできないと前記インターワーキングゲートウェイが判断した場合、前記データレート低減要求に合わせて、前記第２のＵＥから受信されたメディアをトランスコードすることを前記コンピュータに行わせるためのコードを備える、
請求項２９に記載のコンピュータプログラム。
【請求項３３】
前記コードは、前記第１のネットワークにおける輻輳を緩和するために、前記第２のＵＥから受信された前記メディアの前記メディアデータレートを低下させるようにトランスコードすることを前記コンピュータに行わせるためのコードを備える、
請求項３２に記載のコンピュータプログラム。
【請求項３４】
前記第２のネットワーク中の前記第２のＵＥから与えられた前記メディアの第１のセットを受信することと、
ＥＣＮマーキングにより前記メディアの第１のセットをマーキングすることと、
前記第１のＵＥへの送信のために前記マーキングされたメディアの第１のセットを前記第１のネットワークに与えることと
をインターワーキングゲートウェイのコンピュータに行わせるためのコードをさらに備える、
請求項２９に記載のコンピュータプログラム。
【請求項３５】
前記マーキングすることは、ＥＣＮトランスポート対応（ＥＣＴ）マーキングおよびＥＣＮ輻輳遭遇（ＥＣＮ−ＣＥ）マーキングのうちの少なくとも１つを備える、
請求項３４に記載のコンピュータプログラム。
【請求項３６】
第１のネットワークインターフェースモジュールは、第１のネットワーク中の第１のＵＥからデータレート調整要求を受信するように構成され、前記データレート調整要求は、第２のネットワーク中の第２のＵＥから与えられたメディアの第１のセット中の明示的輻輳通知（ＥＣＮ）マーキングの受信に応答して前記第１のＵＥから与えられる、
プロセッサモジュールは、前記データレート低減要求に合わせて調整されたデータレートを前記第２のＵＥがサポートすることができるかどうか前記インターワーキングゲートウェイが判断することに基づいて、前記データレート調整要求を処理するように構成されたプロセッサモジュールと
を備える、インターワーキングゲートウェイ。
【請求項３７】
前記データレート調整要求を処理することは、前記データレート調整要求に合わせて調整されたデータレートを前記第２のＵＥがサポートすることができると前記インターワーキングゲートウェイが判断した場合、前記第２のＵＥにデータレート調整情報をフォワーディングすることを備える、
請求項３６に記載のインターワーキングゲートウェイ。
【請求項３８】
第２のネットワークインターフェースモジュールをさらに備え、前記プロセッサモジュールは、前記第２のネットワークインターフェースモジュールを通して前記インターワーキングゲートウェイと前記第２のＵＥとの間のネゴシエーションセッション中に調整されたデータレートを前記第２のＵＥがサポートすることができるかどうかを判断するように構成される、
請求項３６に記載のインターワーキングゲートウェイ。
【請求項３９】
前記プロセッサモジュールは、前記データレート調整要求に合わせて調整されたデータレートを前記第２のＵＥがサポートすることができないと前記インターワーキングゲートウェイが判断した場合、前記データレート低減要求に合わせて、前記第２のＵＥから受信されたメディアをトランスコードするように構成される、
請求項３６に記載のインターワーキングゲートウェイ。
【請求項４０】
前記プロセッサモジュールは、前記第１のネットワークにおける輻輳を緩和するために、前記第２のＵＥから受信された前記メディアの前記メディアデータレートを低下させることによってメディアをトランスコードするように構成される、
請求項３９に記載のインターワーキングゲートウェイ。
【請求項４１】
前記プロセッサモジュールは、ＥＣＮマーキングにより前記第２のネットワーク中の前記第２のＵＥからの前記メディアの第１のセットをマーキングすることと、
前記第１のＵＥへの送信のために前記マーキングされたメディアの第１のセットを前記第１のネットワークに与えることとを行うように構成される、
請求項３６に記載のインターワーキングゲートウェイ。
【請求項４２】
前記マーキングすることは、ＥＣＮトランスポート対応（ＥＣＴ）マーキングおよびＥＣＮ輻輳遭遇（ＥＣＮ−ＣＥ）マーキングのうちの少なくとも１つを備える、
請求項４１に記載のインターワーキングゲートウェイ。
【請求項４３】
第１のネットワーク中の第１のＵＥからデータレート調整要求を受信するための手段と、ここにおいて、前記データレート調整要求は、第２のネットワーク中の第２のＵＥから与えられたメディアの第１のセット中の明示的輻輳通知（ＥＣＮ）マーキングの受信に応答して前記第１のＵＥから与えられる、
前記データレート低減要求に合わせて調整されたデータレートを前記第２のＵＥがサポートすることができるかどうか前記インターワーキングゲートウェイが判断することに基づいて、前記データレート調整要求を処理するための手段と
を備える、インターワーキングゲートウェイ。
【発明の詳細な説明】
【関連技術】
【０００１】
関連出願の相互参照  
本出願は、すべての目的のためにその内容全体が参照により本明細書に組み込まれる、２００９年９月３０日に出願された「METHODS FOR ENABLING RATE ADAPTATION ACROSS VARIOUS NETWORK CONFIGURATIONS」と題する米国仮特許出願第６１／２４７，０９５号の優先権を主張する。
【技術分野】
【０００２】
本出願は、一般にワイヤレス通信システムを対象とする。より詳細には、限定はしないが、本出願は、異なるネットワーク、構成、および／またはプロトコルにわたって明示的輻輳通知（ＥＣＮ：explicit congestion notification）機能を与えるための方法および装置に関する。
【背景技術】
【０００３】
ワイヤレス通信システムは、ボイス、データ、ビデオなど、様々なタイプの通信コンテンツを提供するために広く展開されており、ＬＴＥ（Long Term Evolution）システムなどの新しいデータ指向システムの導入とともに展開が増加する可能性がある。ワイヤレス通信システムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  ＬＴＥ（Long Term Evolution）システム、および他の直交周波数分割多元接続（ＯＦＤＭＡ）システムがある。
【０００４】
概して、ワイヤレス多元接続通信システムは、複数のワイヤレス端末（ユーザ機器（ＵＥ）、またはアクセス端末（ＡＴ）としても知られる）のための通信を同時にサポートすることができる。各端末は、順方向リンクおよび逆方向リンク上での送信によって１つまたは複数の基地局（アクセスポイント（ＡＰ）、ＥノードＢまたはｅＮＢとしても知られる）と通信する。順方向リンク（ダウンリンクまたはＤＬとも呼ばれる）は基地局から端末への通信リンクを指し、逆方向リンク（アップリンクまたはＵＬとも呼ばれる）は端末から基地局への通信リンクを指す。これらの通信リンクは、単入力単出力、単入力多出力、多入力単出力または多入力多出力（ＭＩＭＯ）システムを介して確立され得る。
【０００５】
ＭＩＭＯシステムは、データ送信用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルと呼ばれることもあるＮＳ個の独立チャネルに分解され得る。概して、ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。ＭＩＭＯシステムはまた、時分割複信（ＴＤＤ）システムと周波数分割複信（ＦＤＤ）システムとをサポートする。ＴＤＤシステムでは、順方向および逆方向リンク送信が同一周波数領域上で行われるので、相反定理により逆方向リンクチャネルからの順方向リンクチャネルの推定が可能である。これにより、複数のアンテナがアクセスポイントにおいて利用可能であるとき、アクセスポイントは順方向リンク上で送信ビームフォーミング利得を抽出することが可能になる。
【０００６】
基地局ノードは、ｅＮＢと呼ばれることがあり、ネットワークにおける展開に関して異なる能力を有する。これは、送信電力クラス、アクセス制限などを含む。一態様では、異種ネットワーク特性により、ワイヤレスカバレージデッドスポット（たとえば、ドーナツ状のカバレージホール）が生じる。これにより、ひどいセル間干渉が生じ、望ましくないユーザ機器セル関連付けが必要になることがある。概して、異種ネットワーク特性により、物理チャネルの深い浸透が必要となるので、それぞれのネットワーク上でノードと機器との間に不要な干渉が生じることがある。
【０００７】
明示的輻輳通知（ＥＣＮ）は、インターネットプロトコル（ＩＰ）と伝送制御プロトコル（ＴＣＰ）との拡張であり、ＲＦＣ３１６８（２００１）において定義されている。ＥＣＮは、パケットをドロップするネットワーク輻輳のエンドツーエンド通知を可能にし、また、ＥＣＮは、両方のエンドポイントがＥＣＮをサポートし、ＥＣＮを自発的に使用するときにのみ使用される、オプション機能である。ＥＣＮは、基礎をなすネットワークによってサポートされるときにのみ有効である。従来、ＴＣＰ／ＩＰネットワークは、パケットをドロップすることによって輻輳をシグナリングする。しかしながら、ＥＣＮが首尾よくネゴシエートされたとき、ＥＣＮアウェアなルータは、差し迫った輻輳をシグナリングするために、パケットをドロップする代わりにＩＰヘッダ中にマークを設定し得る。パケットの受信側は輻輳指示を送信側にエコーし、送信側は、あたかもパケットがドロップしたかのように反応しなければならない。一部の古いまたはバグの多いネットワーク機器は、ＥＣＮビットを無視するのではなく、ＥＣＮビットが設定されたパケットをドロップすることがある。
【０００８】
ＥＣＮ機能は、ワイヤレスネットワークにおいてユーザ機器またはデバイス（ＵＥ）間でエンドツーエンドレート適応を実行するために使用され得る。しかしながら、トランスポートネットワークがＥＣＮを適切にサポートしていない場合、端末はＥＣＮを無効化しなければならなくなり、ＵＥはレート適応を実行することができない。ある事業者が、その事業者のネットワークがＥＣＮを適切にサポートすることを保証する場合でも、その事業者は、別の事業者が別の事業者のネットワークに対して同じことをすることを保証することはできない。したがって、異なる事業者ネットワーク中のＵＥ間の呼は、ＥＣＮを使用してレート適応をサポートすることが保証され得ない。
【０００９】
１つの解決策は、ＥＣＮをすべての事業者ネットワークおよびＵＥがサポートすることを要求することである。この手法に伴う１つの問題は、事業者のネットワークがＥＣＮトランスペアレントであることを事業者が保証するには大規模な作業が必要となり、すべての事業者がこの機能に関心があるわけではないことである。別の解決策は、トランスポートパスがＥＣＮトランスペアレントであるかどうかを判断するために、ＵＥにトランスポートパスを常にプロービング（probe）させることである。トランスポートパスがＥＣＮトランスペアレントでない場合、ＵＥはＥＣＮおよびレート適応機能を無効化する。したがって、これは、すべての呼についてＥＣＮ／レート適応を保証するわけではなく、トランスポートパスを常にプロービングおよびモニタするようにＵＥに要求することについてのさらなる複雑さの負担を有する。
【発明の概要】
【００１０】
本開示は、概して、ワイヤレス通信システムと、複数のネットワークにわたってＥＣＮおよびレート低減機能を使用することによる輻輳の管理および緩和とを対象とする。
【００１１】
一態様では、本開示は、通信を行うための方法に関する。本方法は、第１のネットワークと第２のネットワークとの間に結合されたインターワーキングゲートウェイにおいて、第１のデータレートで生成されたメディアの第１のセットを受信することであって、メディアの第１のセットが、第１のネットワーク内で生成されたネットワーク輻輳の指示を含む、受信することと、上記指示に応答して、第１のネットワーク中の第１のユーザ機器（ＵＥ）により低いデータレートを要求するためのデータレート調整要求を与えることとを含み得る。
【００１２】
本方法は、インターワーキングゲートウェイにおいて、データレート調整要求に応答して第２のデータレートで第１のＵＥから送られたメディアの第２のセットを受信することと、メディアの第２のセットをインターワーキングゲートウェイから第２のネットワークに送ることとをさらに含み得る。メディアの第１のセットおよびメディアの第２のセットは、第２のネットワーク中の第２のＵＥへの送信のために第１のネットワーク中の第１のＵＥによって生成され得る。メディアの第２のセットは、第１のネットワークにおいてＥＣＮマーキングを削除するように修正され得る。上記送ることは、修正されたメディアを送ることを含み得る。輻輳の上記指示は、明示的輻輳指示輻輳遭遇（ＥＣＮ−ＣＥ：explicit congestion indication congestion encountered）マーキング、あるいはＥＣＮプロトコルに合わせた他のマーキング、フラグ付け、またはビット設定を含み得る。本方法は、ＥＣＮ−ＣＥマーキングを削除するようにメディアの第１のセットを修正することをさらに含み得、メディアの修正された第１のセットを第２のネットワークに送ることをも含み得る。
【００１３】
第１のネットワークはＥＣＮ対応（ECN capable）ネットワークであり得、第２のネットワークノードは非ＥＣＮ対応ネットワークであり得る。データレート調整要求は、一時的最大メディアストリームビットレート要求（ＴＭＭＢＲ：Temporary Maximum Media Stream Bit Rate Request）またはコーデックモード要求（ＣＭＲ：Codec Mode Request）を備え得る。第１のネットワークおよび第２のネットワークはワイヤレス通信ネットワークであり得る。第１および第２のネットワークのうちの１つまたは複数は、全体的にまたは部分的に、ワイヤード通信ネットワークであり得る。
【００１４】
別の態様では、本開示は、インターワーキングゲートウェイにおいてメディアを処理するための方法に関する。本方法は、第１のワイヤレスネットワークおよび第２のワイヤレスネットワークと通信していることがあるインターワーキングゲートウェイにおいて、第１のワイヤレスネットワーク内のＵＥによって送信されたメディアデータパケットを受信することを含み得る。メディアデータパケットはＥＣＮマーキングされ得る。本方法は、ＥＣＮマーキングを削除するようにデータパケットを処理することと、処理されたデータパケットを第２のネットワークに送ることとをさらに含み得る。
【００１５】
別の態様では、本開示は、通信を行うための方法に関する。本方法は、第１のネットワーク中のＵＥから第２のネットワーク中のＵＥにメディアの第１のセットを送ることと、メディアの第１のセットを送ることに応答して、インターワーキングゲートウェイからデータレート調整要求を受信することと、データレート調整要求に応答して、調整されたレートで第２のネットワーク中のＵＥにメディアの第２のセットを送ることとを含み得る。データレート調整要求はＴＭＭＢＲまたはＣＭＲを備え得る。
【００１６】
別の態様では、本開示は、インターワーキングゲートウェイにおいて通信を行うための方法に関する。本方法は、第１のネットワーク中の第１のＵＥからデータレート調整要求を受信することであって、データレート調整要求が、第２のネットワーク中の第２のＵＥから与えられたメディア中の輻輳指示の受信に応答して第１のＵＥから与えられる、受信することと、第１のネットワークと第２のネットワークとの間でＥＣＮ機能の統合を行うようにレート調整要求を処理することとを含み得る。
【００１７】
レート調整要求を処理することは、データレート調整要求に合わせて調整されたデータレートを第２のＵＥがサポートすることができるとインターワーキングゲートウェイが判断した場合、第２のＵＥにデータレート調整情報をフォワーディングすることを含み得る。インターワーキングゲートウェイは、インターワーキングゲートウェイと第２のＵＥとの間のネゴシエーションセッション中に調整されたデータレートを第２のＵＥがサポートすることができると判断し得る。レート調整要求を処理することは、データレート低減要求に合わせて、第２のＵＥから受信されたメディアをトランスコードすることを含み得る。上記トランスコードすることは、第１のネットワークにおける輻輳を緩和するために、第２のＵＥから受信されたメディアのメディアデータレートを低下させることを含み得る。
【００１８】
インターワーキングゲートウェイは、第２のネットワークからのメディアをＥＣＮ対応にするように第２のネットワークからのメディアを処理し得る。たとえば、受信されたメディアは、ＥＣＮプロトコルに合わせてマーキングされ得る。上記マーキングすることはＥＣＴマーキングであり得る。マーキングされたメディアは第１のネットワークに与えられ得、そこで、マーキングされたメディアは第１のＵＥに配信され得る。
【００１９】
本開示は、さらに、上記で説明した方法、ならびに本明細書で説明する他の方法およびプロセスを実装するためのコンピュータプログラム製品、デバイス、装置、およびシステムに関する。添付の図面とともに様々な追加の態様について以下でさらに説明する。
【図面の簡単な説明】
【００２０】
本出願は、添付の図面とともに与える以下の発明を実施するための形態とともに、より十分に諒解され得る。
【図１】ワイヤレス通信システムの詳細を示す図。
【図２】複数のセルを有するワイヤレス通信システムの詳細を示す図。
【図３】例示的なワイヤレス通信システムにおける接続性の詳細を示す図。
【図４】別の例示的なワイヤレス通信システムにおける接続性の詳細を示す図。
【図５】ＥＣＮ対応ネットワークと非ＥＣＮ対応ネットワークとの間の相互接続の詳細を示す図。
【図６】インターワーキングゲートウェイを使用した、ＥＣＮ対応ネットワークと非ＥＣＮ対応ネットワークとの間の相互接続を含むシステムの一実施形態の詳細を示す図。
【図７】ＥＣＮ対応ネットワークと、知られていないＥＣＮ能力を有するかまたは同じくＥＣＮ対応であり得る別のネットワークとの間の相互接続を含むシステムの一実施形態の詳細を示す図。
【図８】ＥＣＮ対応ネットワークにおける端末またはＵＥとインターワーキングゲートウェイとの間の通信を可能にするためのサブシステムの一実施形態の詳細を示す図。
【図９】端末またはＵＥと基地局またはｅＮＢとの一実施形態の詳細を示す図。
【図１０】インターワーキングゲートウェイの一実施形態の詳細を示す図。
【図１１】ネットワーク間のＥＣＮトランスペアレント通信を可能にするためのプロセスの一実施形態の詳細を示す図。
【図１２】ネットワーク間のＥＣＮトランスペアレント通信を可能にするためのプロセスの一実施形態の詳細を示す図。
【図１３】ネットワーク間のＥＣＮトランスペアレント通信を可能にするためのプロセスの一実施形態の詳細を示す図。
【図１４】ネットワーク間のＥＣＮトランスペアレント通信を可能にするためのプロセスの一実施形態の詳細を示す図。
【発明を実施するための形態】
【００２１】
本開示は、概して、異なるネットワーク、構成、および／またはプロトコルにわたってＥＣＮ機能に基づくインターワーキングを可能にし得る、ワイヤレス通信システムにおける輻輳の管理および緩和のためのシステムおよび方法に関する。本明細書で説明するように、ＥＣＮ機能をサポートするネットワークは、ＥＣＮトランスポート対応（ＥＣＴ）であると言われ、本明細書では、ＥＣＮ対応、ＥＣＮトランスペアレントおよび／またはＥＣＮ準拠（ECN compliant）であると表されることもある。同様に、ＥＣＮ機能をサポートしないネットワークは、非ＥＣＮ準拠あるいは非ＥＣＮ対応またはトランスペアレントと呼ばれることがある。
【００２２】
一態様では、本開示は、通信を行うための方法に関する。本方法は、第１のネットワークと第２のネットワークとの間に結合されたインターワーキングゲートウェイにおいて、第１のデータレートで生成されたメディアの第１のセットを受信することであって、メディアの第１のセットが、第１のネットワーク内で生成されたネットワーク輻輳の指示を含む、受信することと、上記指示に応答して、第１のネットワーク中の第１のユーザ機器（ＵＥ）により低いデータレートを要求するためのデータレート調整要求を与えることとを含み得る。
【００２３】
本方法は、インターワーキングゲートウェイにおいて、データレート調整要求に応答して第２のデータレートで第１のＵＥから送られたメディアの第２のセットを受信することと、メディアの第２のセットをインターワーキングゲートウェイから第２のネットワークに送ることとをさらに含み得る。メディアの第１のセットおよびメディアの第２のセットは、第２のネットワーク中の第２のＵＥへの送信のために第１のネットワーク中の第１のＵＥによって生成され得る。メディアの第２のセットは、第１のネットワークにおいてＥＣＮマーキングを削除するように修正され得る。上記送ることは、修正されたメディアを送ることを含み得る。輻輳の上記指示は、明示的輻輳指示輻輳遭遇（ＥＣＮ−ＣＥ）マーキング、あるいはＥＣＮプロトコルに合わせた他のマーキング、フラグ付け、またはビット設定を含み得る。本方法は、ＥＣＮ−ＣＥマーキングを削除するようにメディアの第１のセットを修正することをさらに含み得、メディアの修正された第１のセットを第２のネットワークに送ることをも含み得る。
【００２４】
第１のネットワークはＥＣＮ対応ネットワークであり得、第２のネットワークノードは非ＥＣＮ対応ネットワークであり得る。データレート調整要求は、一時的最大メディアストリームビットレート要求（ＴＭＭＢＲ）またはコーデックモード要求（ＣＭＲ）を備え得る。第１のネットワークおよび第２のネットワークはワイヤレス通信ネットワークであり得る。第１および第２のネットワークのうちの１つまたは複数は、全体的にまたは部分的に、ワイヤード通信ネットワークであり得る。
【００２５】
別の態様では、本開示は、コンピュータプログラム製品に関する。本コンピュータプログラム製品は、第１のデータレートで生成されたメディアの第１のセットを受信することであって、メディアの第１のセットが、第１のネットワーク内で生成されたネットワーク輻輳の指示を含む、受信することをコンピュータに行わせるためのコードを有するコンピュータ可読媒体を含み得る。上記コードは、上記指示に応答して、第１のネットワーク中の第１のＵＥにより低いデータレートを要求するためのデータレート調整要求を与えることをコンピュータに行わせるためのコードをさらに含み得る。
【００２６】
別の態様では、本開示は、インターワーキングゲートウェイに関する。本インターワーキングゲートウェイは、第１のデータレートで生成されたメディアの第１のセットを第１のネットワークから受信することであって、メディアの第１のセットが、第１のネットワーク内で生成されたネットワーク輻輳の指示を含む、受信することと、上記指示に応答して、第１のネットワーク中の第１のＵＥにより低いデータレートを要求するためのデータレート調整要求を与えることとを行うように構成された第１のネットワークインターフェースモジュールを含み得る。第１のネットワークインターフェースモジュールは、データレート調整要求に応答して第２のデータレートで第１のＵＥから送られたメディアの第２のセットを受信するようにさらに構成され得る。本ゲートウェイは、メディアの第２のセットを第２のネットワークに送るように構成された第２のネットワークインターフェースモジュールをさらに含み得る。
【００２７】
メディアの第１のセットおよびメディアの第２のセットは、第２のネットワーク中の第２のＵＥへの送信のために第１のネットワーク中の第１のＵＥによって生成され得る。本ゲートウェイは、修正されたメディアを生成するためにメディアの第２のセットからＥＣＮマーキングを削除するように構成されたプロセッサモジュールをさらに含み得る。上記送ることは、修正されたメディアを送ることを含み得る。
【００２８】
輻輳の上記指示は明示的輻輳指示輻輳遭遇（ＥＣＮ−ＣＥ）マーキングを備え得る。本ゲートウェイは、ＥＣＮ−ＣＥマーキングを削除するようにメディアの第１のセットを修正するように構成されたプロセッサモジュールをさらに含み得る。本ゲートウェイは、メディアの修正された第１のセットを第２のネットワークに送るように構成された第２のネットワークインターフェースモジュールをさらに含み得る。第１のネットワークはＥＣＮ対応ネットワークであり得、第２のネットワークは非ＥＣＮ対応ネットワークであり得る。本ゲートウェイは、データレート調整要求をＴＭＭＢＲまたはＣＭＲとして生成するように構成されたプロセッサモジュールをさらに含み得る。第１のネットワークおよび第２のネットワークはワイヤレス通信ネットワークであり得る。第１のネットワークおよび／または第２のネットワークはワイヤード通信ネットワークであり得る。
【００２９】
別の態様では、本開示は、インターワーキングゲートウェイに関する。本インターワーキングゲートウェイは、第１のデータレートで生成されたメディアの第１のセットを受信するための手段であって、メディアの第１のセットが、第１のネットワーク内で生成されたネットワーク輻輳の指示を含む、受信するための手段を含み得る。本ゲートウェイは、上記指示に応答して、第１のネットワーク中の第１のＵＥにより低いデータレートを要求するためのデータレート調整要求を与えるための手段をさらに含み得る。
【００３０】
別の態様では、本開示は、インターワーキングゲートウェイにおいてメディアを処理するための方法に関する。本方法は、第１のワイヤレスネットワークおよび第２のワイヤレスネットワークと通信していることがあるインターワーキングゲートウェイにおいて、第１のワイヤレスネットワーク内のＵＥによって送信されたメディアデータパケットを受信することを含み得る。メディアデータパケットはＥＣＮマーキングされ得る。本方法は、ＥＣＮマーキングを削除するようにデータパケットを処理することと、処理されたデータパケットを第２のネットワークに送ることとをさらに含み得る。
【００３１】
別の態様では、本開示は、コンピュータプログラム製品に関する。本コンピュータプログラム製品は、第１のワイヤレスネットワークおよび第２のワイヤレスネットワークと通信していることがあるインターワーキングゲートウェイにおいて、第１のワイヤレスネットワーク内のＵＥによって送信されたメディアデータパケットを受信することをコンピュータに行わせるためのコードを有するコンピュータ可読媒体を含み得る。メディアデータパケットはＥＣＮマーキングされ得る。上記コードは、ＥＣＮマーキングを削除するようにデータパケットを処理することと、処理されたデータパケットを第２のネットワークに送ることとをコンピュータに行わせるためのコードをさらに含み得る。
【００３２】
別の態様では、本開示は、インターワーキングゲートウェイに関する。本インターワーキングゲートウェイは、第１のワイヤレスネットワークおよび第２のワイヤレスネットワークと通信していることがある。本インターワーキングゲートウェイは、第１のワイヤレスネットワーク内のＵＥによって送信されたメディアデータパケットを受信するように構成され得る。メディアデータパケットはＥＣＮマーキングされ得る。本ゲートウェイは、ＥＣＮマーキングを削除するようにデータパケットを処理することと、処理されたデータパケットを第２のネットワークに送ることとを行うようにさらに構成され得る。
【００３３】
別の態様では、本開示は、インターワーキングゲートウェイに関する。本インターワーキングゲートウェイは、第１のワイヤレスネットワークおよび第２のワイヤレスネットワークと通信していることがある。本インターワーキングゲートウェイは、第１のワイヤレスネットワーク内のＵＥによって送信されたメディアデータパケットを受信するための手段を含み得る。メディアデータパケットはＥＣＮマーキングされ得る。本ゲートウェイは、ＥＣＮマーキングを削除するようにデータパケットを処理するための手段と、処理されたデータパケットを第２のネットワークに送るための手段とをさらに含み得る。
【００３４】
別の態様では、本開示は、通信を行うための方法に関する。本方法は、第１のネットワーク中のＵＥから第２のネットワーク中のＵＥにメディアの第１のセットを送ることと、メディアの第１のセットを送ることに応答して、インターワーキングゲートウェイからデータレート調整要求を受信することと、データレート調整要求に応答して、調整されたレートで第２のネットワーク中のＵＥにメディアの第２のセットを送ることとを含み得る。データレート調整要求はＴＭＭＢＲまたはＣＭＲを備え得る。
【００３５】
別の態様では、本開示は、コンピュータプログラム製品に関する。本コンピュータプログラム製品は、メディアの第１のセットを送ることに応答して、インターワーキングゲートウェイからデータレート調整要求を受信することと、データレート調整要求に応答して、調整されたレートで第２のネットワーク中のＵＥにメディアの第２のセットを送ることとをコンピュータに行わせるためのコードを有するコンピュータ可読媒体を含み得る。データレート調整要求はＴＭＭＢＲまたはＣＭＲを備え得る。
【００３６】
別の態様では、本開示は、通信デバイスに関する。本通信デバイスは、第２のネットワーク中のＵＥにメディアの第１のセットを送るように構成された送信機モジュールと、メディアの第１のセットを送ることに応答して、インターワーキングゲートウェイからデータレート調整要求を受信するように構成された受信機モジュールとを含み得る。送信機モジュールは、データレート調整要求に応答して、調整されたレートで第２のネットワーク中のＵＥにメディアの第２のセットを送るようにさらに構成され得る。本通信デバイスは端末またはＵＥであり得る。
【００３７】
別の態様では、本開示は、通信デバイスに関する。本通信デバイスは、第２のネットワーク中のＵＥにメディアの第１のセットを送るための手段と、メディアの第１のセットを送ることに応答して、インターワーキングゲートウェイからデータレート調整要求を受信するための手段と、データレート調整要求に応答して、調整されたレートで第２のネットワーク中のＵＥにメディアの第２のセットを送るための手段とを含み得る。
【００３８】
別の態様では、本開示は、インターワーキングゲートウェイにおいて通信を行うための方法に関する。本方法は、第１のネットワーク中の第１のＵＥからデータレート調整要求を受信することであって、データレート調整要求が、第２のネットワーク中の第２のＵＥから与えられたメディア中の輻輳指示の受信に応答して第１のＵＥから与えられる、受信することと、第１のネットワークと第２のネットワークとの間でＥＣＮ機能の統合を行うようにレート調整要求を処理することとを含み得る。
【００３９】
レート調整要求を処理することは、データレート調整要求に合わせて調整されたデータレートを第２のＵＥがサポートすることができるとインターワーキングゲートウェイが判断した場合、第２のＵＥにデータレート調整情報をフォワーディングすることを含み得る。インターワーキングゲートウェイは、インターワーキングゲートウェイと第２のＵＥとの間のネゴシエーションセッション中に調整されたデータレートを第２のＵＥがサポートすることができると判断し得る。レート調整要求を処理することは、データレート低減要求に合わせて、第２のＵＥから受信されたメディアをトランスコードすることを含み得る。上記トランスコードすることは、第１のネットワークにおける輻輳を緩和するために、第２のＵＥから受信されたメディアのメディアデータレートを低下させることを含み得る。
【００４０】
別の態様では、本開示は、コンピュータプログラム製品に関する。一態様では、本開示は、通信を行うための方法に関する。本方法は、第１のネットワークと第２のネットワークとの間に結合されたインターワーキングゲートウェイにおいて、第１のデータレートで生成されたメディアの第１のセットを受信することであって、メディアの第１のセットが、第１のネットワーク内で生成されたネットワーク輻輳の指示を含む、受信することと、上記指示に応答して、第１のネットワーク中の第１のユーザ機器（ＵＥ）により低いデータレートを要求するためのデータレート調整要求を与えることとを含み得る。
【００４１】
本方法は、インターワーキングゲートウェイにおいて、データレート調整要求に応答して第２のデータレートで第１のＵＥから送られたメディアの第２のセットを受信することと、メディアの第２のセットをインターワーキングゲートウェイから第２のネットワークに送ることとをさらに含み得る。メディアの第１のセットおよびメディアの第２のセットは、第２のネットワーク中の第２のＵＥへの送信のために第１のネットワーク中の第１のＵＥによって生成され得る。メディアの第２のセットは、第１のネットワークにおいてＥＣＮマーキングを削除するように修正され得る。上記送ることは、修正されたメディアを送ることを含み得る。輻輳の上記指示は、明示的輻輳指示輻輳遭遇（ＥＣＮ−ＣＥ）マーキング、あるいはＥＣＮプロトコルに合わせた他のマーキング、フラグ付け、またはビット設定を含み得る。本方法は、ＥＣＮ−ＣＥマーキングを削除するようにメディアの第１のセットを修正することをさらに含み得、メディアの修正された第１のセットを第２のネットワークに送ることをも含み得る。
【００４２】
第１のネットワークはＥＣＮ対応ネットワークであり得、第２のネットワークノードは非ＥＣＮ対応ネットワークであり得る。データレート調整要求はＴＭＭＢＲまたはＣＭＲを備え得る。第１のネットワークおよび第２のネットワークはワイヤレス通信ネットワークであり得る。第１および第２のネットワークのうちの１つまたは複数は、全体的にまたは部分的に、ワイヤード通信ネットワークであり得る。
【００４３】
別の態様では、本開示は、コンピュータプログラム製品に関する。本コンピュータプログラム製品は、第１のデータレートで生成されたメディアの第１のセットを受信することであって、メディアの第１のセットが、第１のネットワーク内で生成されたネットワーク輻輳の指示を含む、受信することをコンピュータに行わせるためのコードを有するコンピュータ可読媒体を含み得る。上記コードは、上記指示に応答して、第１のネットワーク中の第１のＵＥにより低いデータレートを要求するためのデータレート調整要求を与えることをコンピュータに行わせるためのコードをさらに含み得る。
【００４４】
別の態様では、本開示は、インターワーキングゲートウェイに関する。本インターワーキングゲートウェイは、第１のデータレートで生成されたメディアの第１のセットを第１のネットワークから受信することであって、メディアの第１のセットが、第１のネットワーク内で生成されたネットワーク輻輳の指示を含む、受信することと、上記指示に応答して、第１のネットワーク中の第１のＵＥにより低いデータレートを要求するためのデータレート調整要求を与えることとを行うように構成された第１のネットワークインターフェースモジュールを含み得る。第１のネットワークインターフェースモジュールは、データレート調整要求に応答して第２のデータレートで第１のＵＥから送られたメディアの第２のセットを受信するようにさらに構成され得る。本ゲートウェイは、メディアの第２のセットを第２のネットワークに送るように構成された第２のネットワークインターフェースモジュールをさらに含み得る。
【００４５】
メディアの第１のセットおよびメディアの第２のセットは、第２のネットワーク中の第２のＵＥへの送信のために第１のネットワーク中の第１のＵＥによって生成され得る。本ゲートウェイは、修正されたメディアを生成するためにメディアの第２のセットからＥＣＮマーキングを削除するように構成されたプロセッサモジュールをさらに含み得る。上記送ることは、修正されたメディアを送ることを含み得る。
【００４６】
輻輳の上記指示は明示的輻輳指示輻輳遭遇（ＥＣＮ−ＣＥ）マーキングを備え得る。本ゲートウェイは、ＥＣＮ−ＣＥマーキングを削除するようにメディアの第１のセットを修正するように構成されたプロセッサモジュールをさらに含み得る。本ゲートウェイは、メディアの修正された第１のセットを第２のネットワークに送るように構成された第２のネットワークインターフェースモジュールをさらに含み得る。第１のネットワークはＥＣＮ対応ネットワークであり得、第２のネットワークは非ＥＣＮ対応ネットワークであり得る。本ゲートウェイは、データレート調整要求をＴＭＭＢＲまたはＣＭＲとして生成するように構成されたプロセッサモジュールをさらに含み得る。第１のネットワークおよび第２のネットワークはワイヤレス通信ネットワークであり得る。第１のネットワークおよび／または第２のネットワークはワイヤード通信ネットワークであり得る。
【００４７】
別の態様では、本開示は、インターワーキングゲートウェイに関する。本インターワーキングゲートウェイは、第１のデータレートで生成されたメディアの第１のセットを受信するための手段であって、メディアの第１のセットが、第１のネットワーク内で生成されたネットワーク輻輳の指示を含む、受信するための手段を含み得る。本ゲートウェイは、上記指示に応答して、第１のネットワーク中の第１のＵＥにより低いデータレートを要求するためのデータレート調整要求を与えるための手段をさらに含み得る。
【００４８】
別の態様では、本開示は、インターワーキングゲートウェイにおいてメディアを処理するための方法に関する。本方法は、第１のワイヤレスネットワークおよび第２のワイヤレスネットワークと通信していることがあるインターワーキングゲートウェイにおいて、第１のワイヤレスネットワーク内のＵＥによって送信されたメディアデータパケットを受信することを含み得る。メディアデータパケットはＥＣＮマーキングされ得る。本方法は、ＥＣＮマーキングを削除するようにデータパケットを処理することと、処理されたデータパケットを第２のネットワークに送ることとをさらに含み得る。
【００４９】
別の態様では、本開示は、コンピュータプログラム製品に関する。本コンピュータプログラム製品は、第１のワイヤレスネットワークおよび第２のワイヤレスネットワークと通信していることがあるインターワーキングゲートウェイにおいて、第１のワイヤレスネットワーク内のＵＥによって送信されたメディアデータパケットを受信することをコンピュータに行わせるためのコードを有するコンピュータ可読媒体を含み得る。メディアデータパケットはＥＣＮマーキングされ得る。上記コードは、ＥＣＮマーキングを削除するようにデータパケットを処理することと、処理されたデータパケットを第２のネットワークに送ることとをコンピュータに行わせるためのコードをさらに含み得る。
【００５０】
別の態様では、本開示は、インターワーキングゲートウェイに関する。本インターワーキングゲートウェイは、第１のワイヤレスネットワークおよび第２のワイヤレスネットワークと通信していることがある。本インターワーキングゲートウェイは、第１のワイヤレスネットワーク内のＵＥによって送信されたメディアデータパケットを受信するように構成され得る。メディアデータパケットはＥＣＮマーキングされ得る。本ゲートウェイは、ＥＣＮマーキングを削除するようにデータパケットを処理することと、処理されたデータパケットを第２のネットワークに送ることとを行うようにさらに構成され得る。
【００５１】
別の態様では、本開示は、インターワーキングゲートウェイに関する。本インターワーキングゲートウェイは、第１のワイヤレスネットワークおよび第２のワイヤレスネットワークと通信していることがある。本インターワーキングゲートウェイは、第１のワイヤレスネットワーク内のＵＥによって送信されたメディアデータパケットを受信するための手段を含み得る。メディアデータパケットはＥＣＮマーキングされ得る。本ゲートウェイは、ＥＣＮマーキングを削除するようにデータパケットを処理するための手段と、処理されたデータパケットを第２のネットワークに送るための手段とをさらに含み得る。
【００５２】
別の態様では、本開示は、通信を行うための方法に関する。本方法は、第１のネットワーク中のＵＥから第２のネットワーク中のＵＥにメディアの第１のセットを送ることと、メディアの第１のセットを送ることに応答して、インターワーキングゲートウェイからデータレート調整要求を受信することと、データレート調整要求に応答して、調整されたレートで第２のネットワーク中のＵＥにメディアの第２のセットを送ることとを含み得る。データレート調整要求はＴＭＭＢＲまたはＣＭＲを備え得る。
【００５３】
別の態様では、本開示は、コンピュータプログラム製品に関する。本コンピュータプログラム製品は、メディアの第１のセットを送ることに応答して、インターワーキングゲートウェイからデータレート調整要求を受信することと、データレート調整要求に応答して、調整されたレートで第２のネットワーク中のＵＥにメディアの第２のセットを送ることとをコンピュータに行わせるためのコードを有するコンピュータ可読媒体を含み得る。データレート調整要求はＴＭＭＢＲまたはＣＭＲを備え得る。
【００５４】
別の態様では、本開示は、通信デバイスに関する。本通信デバイスは、第２のネットワーク中のＵＥにメディアの第１のセットを送るように構成された送信機モジュールと、メディアの第１のセットを送ることに応答して、インターワーキングゲートウェイからデータレート調整要求を受信するように構成された受信機モジュールとを含み得る。送信機モジュールは、データレート調整要求に応答して、調整されたレートで第２のネットワーク中のＵＥにメディアの第２のセットを送るようにさらに構成され得る。本通信デバイスは端末またはＵＥであり得る。
【００５５】
別の態様では、本開示は、通信デバイスに関する。本通信デバイスは、第２のネットワーク中のＵＥにメディアの第１のセットを送るための手段と、メディアの第１のセットを送ることに応答して、インターワーキングゲートウェイからデータレート調整要求を受信するための手段と、データレート調整要求に応答して、調整されたレートで第２のネットワーク中のＵＥにメディアの第２のセットを送るための手段とを含み得る。
【００５６】
別の態様では、本開示は、インターワーキングゲートウェイにおいて通信を行うための方法に関する。本方法は、第１のネットワーク中の第１のＵＥからデータレート調整要求を受信することであって、データレート調整要求が、第２のネットワーク中の第２のＵＥから与えられたメディア中の輻輳指示の受信に応答して第１のＵＥから与えられる、受信することと、第１のネットワークと第２のネットワークとの間でＥＣＮ機能の統合を行うようにレート調整要求を処理することとを含み得る。
【００５７】
レート調整要求を処理することは、データレート調整要求に合わせて調整されたデータレートを第２のＵＥがサポートすることができるとインターワーキングゲートウェイが判断した場合、第２のＵＥにデータレート調整情報をフォワーディングすることを含み得る。インターワーキングゲートウェイは、インターワーキングゲートウェイと第２のＵＥとの間のネゴシエーションセッション中に調整されたデータレートを第２のＵＥがサポートすることができると判断し得る。レート調整要求を処理することは、データレート低減要求に合わせて、第２のＵＥから受信されたメディアをトランスコードすることを含み得る。上記トランスコードすることは、第１のネットワークにおける輻輳を緩和するために、第２のＵＥから受信されたメディアのメディアデータレートを低下させることを含み得る。
【００５８】
別の態様では、本開示は、コンピュータプログラム製品に関する。本コンピュータプログラム製品は、データレート調整要求を受信することであって、データレート調整要求が、第２のネットワーク中の第２のＵＥから与えられたメディア中の輻輳指示の受信に応答して第１のＵＥから与えられる、受信することと、第１のネットワークと第２のネットワークとの間でＥＣＮ機能の統合を行うようにレート調整要求を処理することとをコンピュータに行わせるためのコードを有するコンピュータ可読媒体を含み得る。
【００５９】
別の態様では、本開示は、インターワーキングゲートウェイに関する。本ゲートウェイは、第１のネットワーク中の第１のＵＥからデータレート調整要求を受信するように構成された第１のネットワークインターフェースモジュールであって、データレート調整要求が、第２のネットワーク中の第２のＵＥから与えられたメディア中の輻輳指示の受信に応答して第１のＵＥから与えられる、第１のネットワークインターフェースモジュールと、第１のネットワークと第２のネットワークとの間でＥＣＮ機能の統合を行うようにレート調整要求を処理するように構成されたプロセッサモジュールとを含み得る。
【００６０】
プロセッサモジュールは、データレート調整要求に合わせて調整されたデータレートを第２のＵＥがサポートすることができるとインターワーキングゲートウェイが判断した場合、第２のＵＥにデータレート調整情報をフォワーディングするように構成され得る。本ゲートウェイは、第２のネットワークインターフェースモジュールをさらに含み得、プロセッサモジュールは、第２のネットワークインターフェースモジュールを通してインターワーキングゲートウェイと第２のＵＥとの間のネゴシエーションセッション中に調整されたデータレートを第２のＵＥがサポートすることができるかどうかを判断するように構成される。プロセッサモジュールは、データレート低減要求に合わせて、第２のＵＥから受信されたメディアをトランスコードするように構成され得る。上記トランスコードすることは、第１のネットワークにおける輻輳を緩和するために、第２のＵＥから受信されたメディアのメディアデータレートを低下させることによって行われ得る。
【００６１】
別の態様では、本開示は、インターワーキングゲートウェイに関する。本ゲートウェイは、第１のネットワーク中の第１のＵＥからデータレート調整要求を受信するための手段であって、データレート調整要求が、第２のネットワーク中の第２のＵＥから与えられたメディア中の輻輳指示の受信に応答して第１のＵＥから与えられる、受信するための手段と、第１のネットワークと第２のネットワークとの間でＥＣＮ機能の統合を行うようにレート調整要求を処理するための手段とを含み得る。コンピュータプログラム製品は、データレート調整要求を受信することであって、データレート調整要求が、第２のネットワーク中の第２のＵＥから与えられたメディア中の輻輳指示の受信に応答して第１のＵＥから与えられる、受信することと、第１のネットワークと第２のネットワークとの間でＥＣＮ機能の統合を行うようにレート調整要求を処理することとをコンピュータに行わせるためのコードを有するコンピュータ可読媒体を含み得る。
【００６２】
別の態様では、本開示は、インターワーキングゲートウェイに関する。本ゲートウェイは、第１のネットワーク中の第１のＵＥからデータレート調整要求を受信するように構成された第１のネットワークインターフェースモジュールであって、データレート調整要求が、第２のネットワーク中の第２のＵＥから与えられたメディア中の輻輳指示の受信に応答して第１のＵＥから与えられる、第１のネットワークインターフェースモジュールと、第１のネットワークと第２のネットワークとの間でＥＣＮ機能の統合を行うようにレート調整要求を処理するように構成されたプロセッサモジュールとを含み得る。
【００６３】
プロセッサモジュールは、データレート調整要求に合わせて調整されたデータレートを第２のＵＥがサポートすることができるとインターワーキングゲートウェイが判断した場合、第２のＵＥにデータレート調整情報をフォワーディングするように構成され得る。本ゲートウェイは、第２のネットワークインターフェースモジュールをさらに含み得、プロセッサモジュールは、第２のネットワークインターフェースモジュールを通してインターワーキングゲートウェイと第２のＵＥとの間のネゴシエーションセッション中に調整されたデータレートを第２のＵＥがサポートすることができるかどうかを判断するように構成される。プロセッサモジュールは、データレート低減要求に合わせて、第２のＵＥから受信されたメディアをトランスコードするように構成され得る。上記トランスコードすることは、第１のネットワークにおける輻輳を緩和するために、第２のＵＥから受信されたメディアのメディアデータレートを低下させることによって行われ得る。
【００６４】
別の態様では、本開示は、インターワーキングゲートウェイに関する。本ゲートウェイは、第１のネットワーク中の第１のＵＥからデータレート調整要求を受信するための手段であって、データレート調整要求が、第２のネットワーク中の第２のＵＥから与えられたメディア中の輻輳指示の受信に応答して第１のＵＥから与えられる、受信するための手段と、第１のネットワークと第２のネットワークとの間でＥＣＮ機能の統合を行うようにレート調整要求を処理するための手段とを含み得る。
【００６５】
本インターワーキングゲートウェイは、第２のネットワークからのメディアをＥＣＮ対応にするように第２のネットワークからのメディアを処理し得る。たとえば、受信されたメディアは、ＥＣＮプロトコルに合わせてマーキングされ得る。上記マーキングすることはＥＣＴマーキングであり得る。マーキングされたメディアは第１のネットワークに与えられ得、そこで、マーキングされたメディアは第１のＵＥに配信され得る。
【００６６】
添付の図面とともに様々な追加の態様について以下でさらに説明する。
【００６７】
様々な実施形態では、本明細書で説明する技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥネットワーク、ならびに他の通信ネットワークなど、ワイヤレス通信ネットワーク間の相互接続のために使用され得る。本明細書で説明する「ネットワーク」および「システム」という用語は互換的に使用され得る。さらに、本明細書で説明する技法および装置は、ワイヤード通信ネットワークとワイヤレス通信ネットワークとの間の相互接続、ならびにワイヤード通信ネットワーク間の相互接続のために使用され得る。
【００６８】
ＣＤＭＡネットワークは、ＵＴＲＡ（Universal Terrestrial Radio Access）、ｃｄｍａ２０００などの無線技術を実装し得る。ＵＴＲＡは、Ｗ−ＣＤＭＡ（Wideband-CDMA）および低チップレート（ＬＣＲ）を含む。ｃｄｍａ２０００は、ＩＳ−２０００、ＩＳ−９５およびＩＳ−８５６規格をカバーする。ＴＤＭＡネットワークは、ＧＳＭ（登録商標）（Global System for Mobile Communications）などの無線技術を実装し得る。
【００６９】
ＯＦＤＭＡネットワークは、Ｅｖｏｌｖｅｄ  ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭなどの無線技術を実装し得る。ＵＴＲＡ、Ｅ−ＵＴＲＡ、およびＧＳＭは、ＵＭＴＳ（Universal Mobile Telecommunication System）の一部である。特に、ＬＴＥ（Long Term Evolution）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体から提供されている文書に記載されており、ｃｄｍａ２０００は、「第３世代パートナーシッププロジェクト２」（３ＧＰＰ２）と称する団体からの文書に記載されている。これらの様々な無線技術および規格は当技術分野で既知であるか、または開発されている。たとえば、３ＧＰＰ（3rd Generation Partnership Project）は、グローバルに適用可能な第３世代（３Ｇ）モバイルフォン仕様を定義することを目的とする電気通信協会のグループ間のコラボレーションである。３ＧＰＰ  ＬＴＥ（Long Term Evolution）は、ＵＭＴＳ（Universal Mobile Telecommunications System）モバイルフォン規格を改善することを目的とした３ＧＰＰプロジェクトである。３ＧＰＰは、次世代のモバイルネットワーク、モバイルシステム、およびモバイルデバイスのための仕様を定義し得る。明快のために、本装置および本技法のいくつかの態様について以下ではＬＴＥ実装形態に関して説明し、以下の説明の大部分でＬＴＥ用語を使用するが、その説明は、ＬＴＥ適用例に限定されるものではない。したがって、本明細書で説明する装置および方法は様々な他の通信システムおよび適用例に適用され得ることが当業者には明らかであろう。
【００７０】
ワイヤレス通信システム中の論理チャネルは、制御チャネルとトラフィックチャネルとに分類され得る。論理制御チャネルは、システム制御情報をブロードキャストするためのダウンリンク（ＤＬ）チャネルであるブロードキャスト制御チャネル（ＢＣＣＨ）、ページング情報を転送するＤＬチャネルであるページング制御チャネル（ＰＣＣＨ）、１つまたは複数のＭＴＣＨのためのマルチメディアブロードキャストおよびマルチキャストサービス（ＭＢＭＳ）スケジューリングおよび制御情報を送信するために使用されるポイントツーマルチポイントＤＬチャネルであるマルチキャスト制御チャネル（ＭＣＣＨ）を含み得る。概して、無線リソース制御（ＲＲＣ）接続を確立した後、このチャネルは、ＭＢＭＳを受信するＵＥによって使用されるだけである。専用制御チャネル（ＤＣＣＨ）は、専用制御情報を送信するポイントツーポイント双方向チャネルであり、ＲＲＣ接続を有するＵＥによって使用される。
【００７１】
論理トラフィックチャネルは、ユーザ情報の転送のための、１つのＵＥに専用の、ポイントツーポイント双方向チャネルである専用トラフィックチャネル（ＤＴＣＨ）、またはトラフィックデータを送信するためのポイントツーマルチポイントＤＬチャネルのためのマルチキャストトラフィックチャネル（ＭＴＣＨ）を含み得る。
【００７２】
トランスポートチャネルは、ダウンリンク（ＤＬ）チャネルとアップリンク（ＵＬ）トランスポートチャネルとに分類され得る。ＤＬトランスポートチャネルは、ブロードキャストチャネル（ＢＣＨ）、ダウンリンク共有データチャネル（ＤＬ−ＳＤＣＨ）、およびページングチャネル（ＰＣＨ）を含み得る。ＰＣＨは、（ネットワークがＤＲＸサイクルをＵＥに示すときの）ＵＥ節電のサポートのために使用され、セル全体にわたってブロードキャストされ、他の制御／トラフィックチャネルのために使用され得る物理レイヤ（ＰＨＹ）リソースにマッピングされ得る。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを含み得る。ＰＨＹチャネルは、ＤＬチャネルとＵＬチャネルとのセットを含み得る。
【００７３】
さらに、ＤＬ  ＰＨＹチャネルは、  
共通パイロットチャネル（ＣＰＩＣＨ）  
同期チャネル（ＳＣＨ）  
共通制御チャネル（ＣＣＣＨ）  
共有ＤＬ制御チャネル（ＳＤＣＣＨ）  
マルチキャスト制御チャネル（ＭＣＣＨ）  
共有ＵＬ割当てチャネル（ＳＵＡＣＨ）  
肯定応答チャネル（ＡＣＫＣＨ）  
ＤＬ物理共有データチャネル（ＤＬ−ＰＳＤＣＨ）  
ＵＬ電力制御チャネル（ＵＰＣＣＨ）  
ページングインジケータチャネル（ＰＩＣＨ）  
負荷インジケータチャネル（ＬＩＣＨ）  
含み得る。
【００７４】
ＵＬ  ＰＨＹチャネルは、  
物理ランダムアクセスチャネル（ＰＲＡＣＨ）  
チャネル品質インジケータチャネル（ＣＱＩＣＨ）  
肯定応答チャネル（ＡＣＫＣＨ）  
アンテナサブセットインジケータチャネル（ＡＳＩＣＨ）  
共有要求チャネル（ＳＲＥＱＣＨ）  
ＵＬ物理共有データチャネル（ＵＬ−ＰＳＤＣＨ）  
ブロードバンドパイロットチャネル（ＢＰＩＣＨ）  
を含み得る。
【００７５】
「例示的」という単語は、本明細書では「例、事例、または例示の働きをすること」を意味するために使用する。「例示的」として本明細書で説明するいかなる態様および／または実施形態も、必ずしも他の態様および／または実施形態よりも好適または有利なものと解釈すべきではない。
【００７６】
様々な態様および／または実施形態の説明のために、本明細書では、  
ＡＭ            確認応答モード  
ＡＭＤ          確認応答モードデータ  
ＡＲＱ          自動再送要求  
ＢＣＣＨ        ブロードキャスト制御チャネル  
ＢＣＨ          ブロードキャストチャネル  
Ｃ−            制御−  
ＣＣＣＨ        共通制御チャネル  
ＣＣＨ          制御チャネル  
ＣＣＴｒＣＨ    コード化複合トランスポートチャネル  
ＣＰ            サイクリックプレフィックス  
ＣＲＣ          サイクリック冗長検査  
ＣＴＣＨ        共通トラフィックチャネル  
ＤＣＣＨ        専用制御チャネル  
ＤＣＨ          専用チャネル  
ＤＬ            ダウンリンク  
ＤＳＣＨ        ダウンリンク共有チャネル  
ＤＴＣＨ        専用トラフィックチャネル  
ＦＡＣＨ        順方向リンクアクセスチャネル  
ＦＤＤ          周波数分割複信  
Ｌ１            レイヤ１（物理レイヤ）  
Ｌ２            レイヤ２（データリンクレイヤ）  
Ｌ３            レイヤ３（ネットワークレイヤ）  
ＬＩ            長さインジケータ  
ＬＳＢ          最下位ビット  
ＭＡＣ          メディアアクセス制御  
ＭＢＭＳ        マルチメディアブロードキャストマルチキャストサービス  
ＭＣＣＨ        ＭＢＭＳポイントツーマルチポイント制御チャネル  
ＭＲＷ          移動受信ウィンドウ  
ＭＳＢ          最上位ビット  
ＭＳＣＨ        ＭＢＭＳポイントツーマルチポイントスケジューリングチャネル  
ＭＴＣＨ        ＭＢＭＳポイントツーマルチポイントトラフィックチャネル  
ＰＣＣＨ        ページング制御チャネル  
ＰＣＨ          ページングチャネル  
ＰＤＵ          プロトコルデータユニット  
ＰＨＹ          物理レイヤ  
ＰｈｙＣＨ      物理チャネル  
ＲＡＣＨ        ランダムアクセスチャネル  
ＲＬＣ          無線リンク制御  
ＲＲＣ          無線リソース制御  
ＳＡＰ          サービスアクセスポイント  
ＳＤＵ          サービスデータユニット  
ＳＨＣＣＨ      共有チャネル制御チャネル  
ＳＮ            シーケンス番号  
ＳＵＦＩ        スーパーフィールド  
ＴＣＨ          トラフィックチャネル  
ＴＤＤ          時分割複信  
ＴＦＩ          トランスポートフォーマットインジケータ  
ＴＭ            トランスペアレントモード  
ＴＭＤ          トランスペアレントモードデータ  
ＴＴＩ          送信時間間隔  
Ｕ−            ユーザ−  
ＵＥ            ユーザ機器  
ＵＬ            アップリンク  
ＵＭ            非確認応答モード  
ＵＭＤ          非確認応答モードデータ  
ＵＭＴＳ        ユニバーサル移動体通信システム  
ＵＴＲＡ        ＵＭＴＳ  テレストリアル無線接続  
ＵＴＲＡＮ      ＵＭＴＳ  テレストリアル無線接続ネットワーク  
ＭＢＳＦＮ      マルチキャストブロードキャスト単一周波数ネットワーク  
ＭＣＥ          ＭＢＭＳ調整エンティティ（coordinating entity）  
ＭＣＨ          マルチキャストチャネル  
ＤＬ−ＳＣＨ    ダウンリンク共有チャネル  
ＭＳＣＨ        ＭＢＭＳ制御チャネル  
ＰＤＣＣＨ      物理ダウンリンク制御チャネル  
ＰＤＳＣＨ      物理ダウンリンク共有チャネル  
の用語および略語が使用され得る。
【００７７】
ＭＩＭＯシステムは、データ送信用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルと呼ばれることもあるＮS個の独立チャネルに分解され得る。線形受信機が使用される場合の最大空間多重化ＮSは、ｍｉｎ（ＮT，ＮR）であり、ＮS個の独立チャネルの各々は１つの次元に対応する。これは、スペクトル効率のＮSの増加を与える。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。特殊次元は、ランクに関して記述され得る。
【００７８】
ＭＩＭＯシステムは時分割複信（ＴＤＤ）および周波数分割複信（ＦＤＤ）実装形態をサポートする。ＴＤＤシステムでは、順方向および逆方向リンク送信が同一周波数領域を使用するので、相反定理により逆方向リンクチャネルからの順方向リンクチャネルの推定が可能である。これにより、複数のアンテナがアクセスポイントにおいて利用可能であるとき、アクセスポイントは順方向リンク上で送信ビームフォーミング利得を抽出することが可能になる。
【００７９】
システム設計は、ビームフォーミングおよび他の機能を可能にするためにダウンリンクおよびアップリンクのための様々な時間周波数基準信号をサポートし得る。基準信号は、知られているデータに基づいて生成される信号であり、パイロット、プリアンブル、トレーニング信号、サウンディング信号などと呼ばれることもある。基準信号は、チャネル推定、コヒーレント復調、チャネル品質測定、信号強度測定など、様々な目的のために受信機によって使用され得る。複数のアンテナを使用するＭＩＭＯシステムは、概して、アンテナ間での基準信号の送信の調整を行うが、ＬＴＥシステムは、概して、複数の基地局またはｅＮＢからの基準信号の送信の調整を行わない。
【００８０】
３ＧＰＰ仕様３６２１１−９００は、セクション５．５において、ＰＵＳＣＨまたはＰＵＣＣＨの送信に関連する復調、ならびにＰＵＳＣＨまたはＰＵＣＣＨの送信に関連しないサウンディングのための特定の基準信号を定義している。たとえば、表１は、ダウンリンクおよびアップリンク上で送信され得る、ＬＴＥ実装形態のためのいくつかの基準信号を記載しており、各基準信号について短い説明を与えている。セル固有基準信号は、共通パイロット、ブロードバンドパイロットなどと呼ばれることもある。ＵＥ固有基準信号は、専用基準信号と呼ばれることもある。
【表１】
0005619904.tif 000002
【００８１】
いくつかの実装形態では、システムは時分割複信（ＴＤＤ）を利用し得る。ＴＤＤでは、ダウンリンクとアップリンクとは同じ周波数スペクトルまたはチャネルを共有し、ダウンリンク送信とアップリンク送信とは同じ周波数スペクトル上で送られる。したがって、ダウンリンクチャネル応答はアップリンクチャネル応答と相関し得る。相反定理により、アップリンクを介して送られた送信に基づいてダウンリンクチャネルを推定することが可能になり得る。これらのアップリンク送信は、（復調後に基準シンボルとして使用され得る）基準信号またはアップリンク制御チャネルであり得る。アップリンク送信は、複数のアンテナを介した空間選択チャネルの推定を可能にし得る。
【００８２】
ＬＴＥ実装形態では、ダウンリンク、すなわち、基地局、アクセスポイントまたはｅノードＢから端末またはＵＥへのリンクのために直交周波数分割多重が使用される。ＯＦＤＭの使用は、スペクトルの柔軟性についてのＬＴＥ要件を満たし、高いピークレートで極めて広いキャリアのためのコスト効率の高いソリューションを可能にし、十分に確立された技術であり、たとえば、ＯＦＤＭは、ＩＥＥＥ８０２．１１ａ／ｇ、８０２．１６、ＨＩＰＥＲＬＡＮ−２、ＤＶＢおよびＤＡＢなどの規格において使用される。
【００８３】
時間周波数物理リソースブロック（本明細書ではリソースブロック、または簡潔のために「ＲＢ」としても示される）は、ＯＦＤＭシステムにおいて、トランスポートデータに割り当てられたトランスポートキャリア（たとえば、サブキャリア）または間隔のグループとして定義され得る。ＲＢは、時間および周波数期間にわたって定義される。リソースブロックは、スロットにおける時間および周波数のインデックスによって定義され得る時間周波数リソース要素（本明細書ではリソース要素、または簡潔のために「ＲＥ」としても示される）から構成される。ＬＴＥ  ＲＢおよびＲＥのさらなる詳細は、３ＧＰＰ  ＴＳ３６．２１１に記載されている。
【００８４】
ＵＭＴＳ  ＬＴＥは、２０ＭＨｚから１．４ＭＨＺまでのスケーラブルなキャリア帯域幅をサポートする。ＬＴＥでは、ＲＢは、サブキャリア帯域幅が１５ｋＨｚであるときは１２個のサブキャリアとして定義され、またはサブキャリア帯域幅が７．５ｋＨｚであるときは２４個サブキャリアとして定義される。例示的な実装形態では、時間領域において、１０ｍｓ長であり、それぞれ１ｍｓの１０個のサブフレームからなる、定義された無線フレームがある。あらゆるサブフレームは、各スロットが０．５ｍｓである２つのスロットからなる。この場合、周波数領域におけるサブキャリア間隔は１５ｋＨｚである。（スロットごとに）これらのサブキャリアのうち１２個を互いに加えると、ＲＢが構成され、したがって、この実装形態では、１つのリソースブロックは１８０ｋＨｚである。６つのリソースブロックは１．４ＭＨｚのキャリアに適合し、１００個のリソースブロックは２０ＭＨｚのキャリアに適合する。
【００８５】
ダウンリンクには、一般に、上記で説明したようにいくつかの物理チャネルがある。特に、ＰＤＣＣＨは制御を送るために使用され、ＰＨＩＣＨはＡＣＫ／ＮＡＣＫを送るために使用され、ＰＣＦＩＣＨは制御シンボルの数を指定するために使用され、物理ダウンリンク共有チャネル（ＰＤＳＣＨ）はデータ送信のために使用され、物理マルチキャストチャネル（ＰＭＣＨ）は単一周波数ネットワークを使用したブロードキャスト送信のために使用され、物理ブロードキャストチャネル（ＰＢＣＨ）はセル内の重要なシステム情報を送るために使用される。ＬＴＥにおいてＰＤＳＣＨ上でサポートされる変調フォーマットは、ＱＰＳＫ、１６ＱＡＭおよび６４ＱＡＭである。
【００８６】
アップリンクには、一般に、３つの物理チャネルがある。物理ランダムアクセスチャネル（ＰＲＡＣＨ）は初期アクセスのためにのみ使用されるが、ＵＥがアップリンク同期していないとき、データは物理アップリンク共有チャネル（ＰＵＳＣＨ）上で送られる。ＵＥのためにアップリンク上で送信されるべきデータがない場合、制御情報が物理アップリンク制御チャネル（ＰＵＣＣＨ）上で送信されるであろう。アップリンクデータチャネル上でサポートされる変調フォーマットは、ＱＰＳＫ、１６ＱＡＭおよび６４ＱＡＭである。
【００８７】
仮想ＭＩＭＯ／空間分割多元接続（ＳＤＭＡ）が導入された場合、アップリンク方向のデータレートは、基地局におけるアンテナの数に応じて増加され得る。この技術を用いて、２つ以上のモバイルが同じリソースを再使用することができる。ＭＩＭＯ動作では、１人のユーザのデータスループットを向上させるためのシングルユーザＭＩＭＯと、セルスループットを向上させるためのマルチユーザＭＩＭＯとが区別される。
【００８８】
３ＧＰＰ  ＬＴＥでは、移動局またはデバイスは、「ユーザデバイス」または「ユーザ機器」（ＵＥ）と呼ばれることがある。基地局は、発展型ノードＢまたはｅＮＢと呼ばれることがある。半自律型（semi-autonomous）基地局は、ホームｅＮＢまたはＨｅＮＢと呼ばれることがある。したがって、ＨｅＮＢはｅＮＢの一例であり得る。ＨｅＮＢ、および／またはＨｅＮＢのカバレージエリアは、フェムトセル、ＨｅＮＢセルまたは（アクセスが制限される）限定加入者グループ（ＣＳＧ）セルと呼ばれることがある。
【００８９】
本開示の様々な他の態様および特徴について以下でさらに説明する。本明細書の教示は多種多様な形態で実施され得、本明細書で開示されている特定の構造、機能、またはその両方は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載の態様をいくつ使用しても、装置を実装し得、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。さらに、態様は、請求項の少なくとも１つの要素を備え得る。
【００９０】
異なるネットワーク、構成、およびプロトコルにわたる明示的輻輳通知（ＥＣＮ）の処理および管理を可能にするためのシステムおよび方法について説明する。本システムおよび方法は、ＥＣＮ機能を使用してローカルレート適応を行うために使用され得、これは、他の事業者のネットワークを他の事業者がアップグレードすること、および／あるいは他の事業者のネットワークがＥＣＮトランスペアレントまたはＥＣＮサポート（ECN-supported）もしくは対応であることを他の事業者が保証すること、に依拠する必要なしに行われ得る。
【００９１】
一態様では、レート適応のためにＥＣＮを使用しようとする事業者は、少なくともそれ自体のサポートネットワークがＥＣＮをサポートすることを規定する。その事業者のネットワークと、ワイヤードまたはワイヤレスであり得、他の事業者によって制御され得る、他のネットワークとの間のゲートウェイ機能は、全体的にまたは部分的に、呼に関与する他のネットワークがＥＣＮをサポートしない場合、ＥＣＮエンドポイントとして働き得る。ゲートウェイ機能は、本明細書で説明するようにインターワーキングゲートウェイデバイスにおいて実装され得、またはコアネットワークを備える構成要素など、ネットワークの他の要素に組み込まれ得る。いくつかの実装形態では、他のネットワークは、それぞれが別々の事業者によって制御され得る２つ以上の異なるネットワークを含み得る。
【００９２】
一態様では、ゲートウェイ機能を与えるために以下の方法が採用され得る。例示的な実装形態では、呼に関与するファーエンドＵＥまたは関連するファーエンドネットワークがＥＣＮをサポートしない場合、ゲートウェイは、最初に、それ自体とローカルネットワークＵＥとの間でＥＣＮの使用をネゴシエートする。次いで、ゲートウェイは、ローカルＵＥからＥＣＮ「輻輳経験（congestion experienced）」情報を受信し、この情報を使用して計算し、ローカルＵＥのアップリンク送信を適応させるようにとのレート要求をローカルＵＥに送り得る。次いで、ローカルＵＥは、レート要求に応答して、たとえば、出力データレートを低下させるなど、ローカルＵＥがメディアを与えたレートを適応させ得る。
【００９３】
場合によっては、ゲートウェイは、ローカルＵＥからレート適応要求を受信し、異なる非ＥＣＮサポートネットワークに関連するファーエンドＵＥのレートを適応させるためにこの情報をファーエンドＵＥに中継し得る。上記要求の中継は、ローカルＵＥのレート要求（たとえば、一時的最大メディアストリームビットレート要求、ＴＭＭＢＲ、リアルタイムトランスポート制御プロトコル（ＲＴＣＰ−ＡＰＰ）、ＣＭＲなど）を、ファーエンドＵＥが理解することができるレート要求に変換することに関与し得る。代替的にまたは追加として、ゲートウェイがレート適応情報をファーエンドＵＥ（または複数のＵＥ）に中継しない場合、ゲートウェイは、ローカルＵＥによって要求されるレートに一致するようにファーエンドＵＥからのメディアのトランスコーディングを実行することができる。このようにして、ＥＣＮは、所与のＵＥに関連するネットワーク上でサポートされ得、しかもなお、ＥＣＮ機能をサポートしないネットワークおよび関連するＵＥとの通信を可能にすることができる。
【００９４】
次に図１に注目すると、図１は、多元接続ワイヤレス通信システムの一実装形態の詳細を示しており、その多元接続ワイヤレス通信システムは、本明細書で説明するＥＣＮおよびレート適応機能が実装されるＬＴＥまたは他の通信システムの一部であり得る。発展型ノードＢ（ｅＮＢ）１００（アクセスポイントまたはＡＰとしても知られる）は、あるグループが１０４および１０６を含み、別のグループが１０８および１１０を含み、追加のグループが１１２および１１４を含む、複数のアンテナグループを含み得る。図１では、アンテナグループごとに２つのアンテナのみが示されているが、アンテナグループごとにより多いまたはより少ないアンテナが利用され得る。ユーザ機器（ＵＥ）１１６（アクセス端末またはＡＴとしても知られる）はアンテナ１１２および１１４と通信しており、アンテナ１１２および１１４は、順方向リンク（ダウンリンクとしても知られる）１２０を介してＵＥ１１６に情報を送信し、逆方向リンク（アップリンクとしても知られる）１１８を介してＵＥ１１６から情報を受信する。第２のＵＥ１２２はアンテナ１０６および１０８と通信しており、アンテナ１０６および１０８は、順方向リンク１２６を介してＵＥ１２２に情報を送信し、逆方向リンク１２４を介してアクセス端末１２２から情報を受信する。ＵＥ１１６および１２２、ならびに他のＵＥ（図示せず）は、本明細書で説明するＥＣＮ機能を実装するように構成され得る。
【００９５】
周波数分割複信（ＦＤＤ）システムでは、通信リンク１１８、１２０、１２４および１２６は、通信のための異なる周波数を使用し得る。たとえば、順方向リンク１２０は、逆方向リンク１１８によって使用される周波数とは異なる周波数を使用し得る。時分割複信（ＴＤＤ）システムでは、ダウンリンクおよびアップリンクは共有され得る。
【００９６】
アンテナの各グループ、および／またはアンテナが通信するように設計されたエリアは、しばしば、ｅＮＢのセクタと呼ばれる。アンテナグループは、それぞれ、ｅＮＢ１００によってカバーされるエリアのセクタ中のＵＥに通信するように設計される。順方向リンク１２０および１２６を介した通信では、ｅＮＢ４００の送信アンテナは、異なるアクセス端末１１６および１２４に対して順方向リンクの信号対雑音比を改善するためにビームフォーミングを利用する。また、ｅＮＢが、ビームフォーミングを使用して、そのカバレージ中にランダムに分散されたＵＥに送信するほうが、ｅＮＢが単一のアンテナを介してすべてのそのＵＥに送信するよりも、隣接セル中のＵＥへの干渉が小さくなる。ｅＮＢは、ＵＥとの通信に使用される固定局でもよく、アクセスポイント、ノードＢ、または何らかの他の等価な用語で呼ばれることもある。ＵＥは、アクセス端末、ＡＴ、ユーザ機器（ＵＥ）、ワイヤレス通信デバイス、端末、または何らかの他の等価な用語で呼ばれることもある。
【００９７】
図２に、本明細書で説明するＥＣＮおよびレート適応機能が実装され得る、ＬＴＥシステムなどの多元接続ワイヤレス通信システム２００の一実装形態の詳細を示す。多元接続ワイヤレス通信システム２００は、セル２０２、２０４、および２０６を含む複数のセルを含み得る。システム２００の一態様では、セル２０２、２０４、および２０６は、複数のセクタを含むｅＮＢを含み得る。複数のセクタはアンテナのグループによって形成され得、各アンテナは、セルの一部分におけるＵＥとの通信を担当する。たとえば、セル２０２において、アンテナグループ２１２、２１４、および２１６は各々異なるセクタに対応し得る。セル２０４において、アンテナグループ２１８、２２０、および２２２は各々異なるセクタに対応する。セル２０６において、アンテナグループ２２４、２２６、および２２８は各々異なるセクタに対応する。セル２０２、２０４および２０６は、各セル２０２、２０４または２０６の１つまたは複数のセクタと通信することができる、いくつかのワイヤレス通信デバイス、たとえば、ユーザ機器またはＵＥを含むことができる。たとえば、ＵＥ２３０および２３２はｅＮＢ２４２と通信することでき、ＵＥ２３４および２３６はｅＮＢ２４４と通信することができ、ＵＥ２３８および２４０はｅＮＢ２４６と通信することができる。セルおよび関連する基地局はシステムコントローラ２５０に結合され得、システムコントローラ２５０は、サブフレーム区分割振りおよび構成に関係する、本明細書でさらに説明する機能を実行するために使用され得るような、コアまたはバックホールネットワークの一部であり得る。
【００９８】
様々な実装形態では、ＥＣＮおよびレート適応機能を使用した輻輳の処理および緩和は、ネットワーク間の相互接続を可能にし得る他のノードおよび／あるいはコアまたはバックホールネットワークとともに行われ得る。図３に、他のｅＮＢ、例示的なネットワーク構成要素、およびバックホールネットワークとのｅＮＢ相互接続の例示的なネットワーク実施形態３００の詳細を示す。ネットワーク３００は、マクロｅＮＢ３０２および／または複数の追加のｅＮＢを含み得、複数の追加のｅＮＢは、ピコセルｅＮＢ３１０、またはフェムトセルｅＮＢなどの他のｅＮＢノード、または他の基地局であり得る。ネットワーク３００は、スケーラビリティ上の理由でＨｅＮＢゲートウェイ３３４を含み得る。マクロｅＮＢ３０２およびゲートウェイ３３４は、それぞれ、モビリティ管理エンティティ（ＭＭＥ）３４２のプール３４０および／またはサービングゲートウェイ（ＳＧＷ）３４６のプール３４４と通信し得る。ｅＮＢゲートウェイ３３４は、専用接続３３６のためのＣプレーンおよびＵプレーン中継器のように見え得る。Ｓ１接続３３６は、発展型パケットコア（ＥＰＣ）とＥＵＴＲＡＮ（Evolved Universal Terrestrial Access Network）との間の境界として指定された論理インターフェースであり得る。したがって、Ｓ１接続３３６はコアネットワーク（図３には明示的に図示せず）へのインターフェースを与え、コアネットワークはさらに他のネットワークに結合され得、コアネットワークを通して、本明細書で説明するＥＣＮおよびレート適応機能が実行され得る。ｅＮＢゲートウェイ３３４は、ＥＰＣから見てマクロｅＮＢ３０２として働き得る。ＣプレーンインターフェースはＳ１−ＭＭＥであり得、ＵプレーンインターフェースはＳ１−Ｕであり得る。ネットワーク３００は、マクロｅＮＢ３０２および複数の追加のｅＮＢを含み得、複数の追加のｅＮＢは、他のマクロｅＮＢ、ピコセルｅＮＢ３１０、フェムトセルｅＮＢ、および／あるいは他の基地局またはネットワークノードであり得る。
【００９９】
ｅＮＢゲートウェイ３３４は、ｅＮＢ３１０に対して単一のＥＰＣノードとして働き得る。ｅＮＢゲートウェイ３３４は、ｅＮＢ３１０のためのＳ１フレックス接続性を保証し得る。ｅＮＢゲートウェイ３３４は、単一のｅＮＢ３１０がｎ個のＭＭＥ３４２と通信し得るように、１：ｎ個の中継機能を与え得る。ｅＮＢゲートウェイ３３４は、Ｓ１セットアッププロシージャを介して動作させられたときにＭＭＥ３４２のプール３４０に登録する。ｅＮＢゲートウェイ３３４は、ｅＮＢ３１０とのＳ１インターフェース３３６のセットアップをサポートし得る。
【０１００】
ネットワーク３００は自己組織化ネットワーク（ＳＯＮ）サーバ３３８をも含み得る。ＳＯＮサーバ３３８は、３ＧＰＰ  ＬＴＥネットワークの自動最適化を行い得る。ＳＯＮサーバ３３８は、ワイヤレス通信システム３００における運用、管理および保守（ＯＡＭ）機能を改善するための重要な推進要因であり得る。これを可能にするために、マクロｅＮＢ３０２とｅＮＢゲートウェイ３３４との間にＸ２リンク３２０が存在し得る。Ｘ２リンク３２０は、共通のｅＮＢゲートウェイ３３４に接続されたｅＮＢ３１０の各々の間にも存在し得る。Ｘ２リンク３２０は、ＳＯＮサーバ３３８からの入力に基づいてセットアップされ得る。Ｘ２リンク３２０はＩＣＩＣ情報を搬送し得る。Ｘ２リンク３２０が確立され得ない場合、ＩＣＩＣ情報を搬送するためにＳ１リンク３３６が使用され得る。ＵＥ３０４はｅＮＢ３０２によってサービスされ得、ＵＥ３１４はｅＮＢ３１０によってサービスされ得る。図３に示すノードの全部、ならびに他のノード（図示せず）は、第１の事業者の制御下にあり得る。代替的にまたは追加として、他のＵＥおよび／またはｅＮＢ（図示せず）も含まれ得、接続されたＵＥを有し得る。ＵＥ３０４、３１４、および／または他のＵＥ（図示せず）は、第２のまたは追加の事業者によって制御される別個のまたは異なるネットワーク中の他のｅＮＢまたは他のネットワークデバイス（たとえば、遠くのまたは第２のネットワークノード）と通信していることがある。
【０１０１】
一態様によれば、第１の事業者に関連するＵＥが、本明細書で説明するＥＣＮおよび／または他のおよびレート適応機能を使用して、第２の事業者に関連するＵＥと通信し得る。図４に、他のｅＮＢ、および第１の事業者に関連し得るバックホールまたはコアネットワーク（図示せず）とのｅＮＢ相互接続のネットワーク実施形態４００の別の例を示す。ネットワーク４００では、ＳＯＮサーバが含まれず、ｅＮＢ４０２などのマクロｅＮＢが、ピコｅＮＢ４１０などの他のｅＮＢと（および／または図示されていない他の基地局またはネットワークノードと）通信し得る。一態様によれば、第１の事業者に関連するＵＥが、本明細書で説明するＥＣＮおよび／または他の機能を使用して、第２の事業者に関連するＵＥと通信し得る。
【０１０２】
次に図５に注目すると、図５は通信システム５００の詳細を示している。システム５００は、少なくとも、ＥＣＮをサポートするかあるいはＥＣＮ準拠または対応であるように構成された第１のネットワーク５３０、ならびに全体的にまたは部分的に非ＥＣＮ対応である１つまたは複数の追加のネットワーク５５０を含む。上述のように、ＥＣＮ機能をサポートするネットワークは、ＥＣＮトランスポート対応（ＥＣＴ）であると言われ、本明細書では、ＥＣＮ対応またはＥＣＮ準拠であると表されることもある。同様に、ＥＣＮ機能をサポートしないネットワークは、非ＥＣＮ準拠または非ＥＣＮ対応と呼ばれることがある。概して、非ＥＣＮ対応ネットワークは、１つまたは複数のネットワーク構成要素がＥＣＮ機能をサポートしないネットワークであり、したがって、そのネットワーク中の端末またはＵＥへの接続はＥＣＮ機能をサポートしない。
【０１０３】
ネットワーク５３０および５５０は異なる事業者によって動作させられ得、その場合、一方のネットワークの能力に関する情報が、他方のネットワークに知られていないか、または他方のネットワークにとって利用可能でないことがある。たとえば、ネットワーク５３０は、ネットワーク５５０がＥＣＮ対応なのかＥＣＮ対応でないのかを知らないことがある。同様に、ネットワーク５５０はネットワーク５３０の能力に気づいていないことがある。
【０１０４】
図５に示すように、例として、ネットワーク５５０は非ＥＣＮ対応であり得、ネットワーク５３０はＥＣＮ対応であり得る。ネットワーク５３０は、第１の事業者、たとえば、ＡＴ＆Ｔによって制御され得、ネットワーク５５０は、第２の異なる事業者、たとえばＶｅｒｉｚｏｎによって制御され得る。論理境界５６５は、システム５００において、図５に示すＥＣＮ対応側と非ＥＣＮ対応側との間に存在し得る。様々な構成では、非ＥＣＮ対応側は、ネットワーク５５０、ならびに、場合によっては、追加のネットワーク（図示せず）、ならびにスイッチ、ルータ、ケーブル、ワイヤレス接続などの構成要素を含み得るトランスポートインフラストラクチャ５６０を含み得る。ネットワーク５３０とネットワーク５５０との間の接続性はシグナリングの送信を含み得、そのシグナリングは、例示的な一例では、様々なインフラストラクチャ機構を使用してルーティングされ得る、ネットワーク５３０とネットワーク５５０との間の、ならびにそれらのそれぞれの端末、またはＵＥ５１０とＵＥ５７０との間の、インターネットプロトコル（ＩＰ）パケットであり得る。
【０１０５】
図５に示す例では、ＵＥ５１０および５７０は、図示のように様々な構成要素（ならびに、明快のために図示されていない他の構成要素）を通してルーティングされ得る確立された接続またはリンク５８０を有し得る。たとえば、ＩＰを介した送信のためにデジタル化されたボイス（ＶＯＩＰ）に対応し得るデータまたはメディアが、ＵＥ５１０と、図１〜図４で前に示したようなｅＮＢであり得る基地局５１２との間の通信リンク５８１を介して送られ得る。次いで、データは、接続５８２を通して基地局５１２からコアネットワーク構成要素５３２に送られ得、これは、たとえば、図３または図４に示すように構成され得る。次いで、データは、コアネットワーク構成要素５３２を通して処理され、接続５８３、５８４および５８５を通して、上述のように非ＥＣＮ対応であり得るネットワーク５５０のコアネットワーク構成要素５５４に与えられ得る。
【０１０６】
次いで、データは、コアネットワーク構成要素５５４から第２のネットワーク５５０の１つまたは複数の基地局５５２に送られ、さらに、接続５８７を介して端末またはＵＥ５７０にワイヤレス送信され得る。いくつかの実装形態では、ＵＥ５７０への接続５８７は、ワイヤレス接続ではなくワイヤード接続であり得る。
【０１０７】
ＥＣＮが使用される実装形態では、適切なＥＣＮ動作を保証するために、事業者は、事業者のコアネットワーク要素およびトランスポートルータがＥＣＮトランスペアレントであることを保証しなければならない。これは、ＥＣＮレート適応機能が事業者のネットワーク全体にわたって適切に動作するために必要である。特に、ＥＣＮトランスペアレンシでは、ネットワーク要素／トランスポートルータが、マーキングされたパケット（すなわち、ＥＣＴまたはＥＣＮ−ＣＥマーキングされたパケット）のドロップを必要とする輻輳がない限り、マーキングされたパケットをドロップすべきではなく、ＥＣＮ−ＣＥマーキングされたパケットのＥＣＮビットをリセットすべきではなく、輻輳経験がない限り、ＥＣＴマーキングされたパケットのＥＣＮビットを変更すべきではないことが必要となる。
【０１０８】
事業者がそれ自体のネットワークを構成し、制御する限り、事業者は、概して、それ自体のネットワーク要素およびルータがＥＣＮトランスペアレントであることを保証することができるが、第１の事業者に関連するＵＥ、たとえば、端末またはＵＥ５１０は、ＵＥ５７０など、他の事業者のネットワーク中の端末への呼を実行することがある。
【０１０９】
第２の事業者のネットワーク（たとえば、ネットワーク５５０）が、ＥＣＮトランスペアレンシのために構成されておらず、および／またはＥＣＮトランスペアレンシを与えないとき、第１の事業者は、端末５１０および５５０がエンドツーエンドＥＣＮレート適応を確立することが可能となることを保証することができない。この場合、たとえば、パケットがドロップすることがあり、および／または他のＥＣＮ機能も損なわれるかまたは機能しないことがある。たとえば、第１の事業者が、ＵＥ５１０などのＥＣＮ対応ＵＥを展開するが、第１の事業者のネットワーク要素がＥＣＮトランスペアレントであることを保証しないとすれば、ＥＣＮ動作は信頼できないであろう。その上、信頼できない動作は、ネットワーク５５０の構成要素、たとえば、コア要素５５４、ならびに他の要素（図示せず）など、第２の事業者ネットワークの構成要素の特定の制限からも派生することがある。たとえば、ＣＥまたはＥＣＴマーキングなどを用いて、第１のネットワーク中の中間ノードによって、および／または、たとえば、要素５６０中の他のノードによってＥＣＮマーキングされているパケットは、非ＥＣＮ対応ネットワーク５５０中のノードが、ドロップするか、または場合によっては取扱いを誤るか、またはそれらの指示を削除することがある。
【０１１０】
ネットワークの能力を潜在的に判断するための１つの方法は、プロービング（probing）を使用することである。たとえば、ＥＣＴプロービングは、参照により本明細書に組み込まれる３ＧＰＰ  Ｓ４−０９０６０および３ＧＰＰ  Ｓ４−０７０３１４に記載されている。ＥＣＮプロービングが実行されたとき、ＵＥは、トランスポートがＥＣＮトランスペアレントでないと判断したときにＥＣＮを無効化し得る。特に、これは、プロキシゲートウェイ（プロキシＧＷ）とサービングゲートウェイ（サービングＧＷ）とのコアネットワーク要素、ならびにトランスポートパスルータが、ＥＣＮ動作についてトランスペアレントであることを事業者が保証することを必要とする。
【０１１１】
一例として、ＲＴＰセッションの開始時に、ＥＣＴをもつ第１のパケットが送られるとき、ＥＣＴまたはＥＣＮ−ＣＥのＥＣＮフィールド値をもつＩＰパケットが（１つまたは複数の）宛先に到達することを検証することが有用であり得る。ＥＣＮの使用により、ＥＣＮフィールドがリセットされることになるか、あるいはＥＣＴまたはＥＣＮ−ＣＥマーキングをもつすべてのパケットがロスすることになるという、ある程度のリスクがある。送信側と受信側との間のパスがこれらの挙動のいずれかを示した場合、ネットワークとアプリケーションの両方を保護するために、ＥＣＮを使用することを停止することが望ましいことがある。
【０１１２】
結果として、これにより、これが起こるかどうかを判断しようと試みるためにトランスポートパスをプロービングおよびモニタしようと試みるためにＵＥが実行しなければならないプロシージャが導入されることがあり、これは、非効率、または過剰電力消費、輻輳などの他の問題につながることがある。詳細には、Ａ）ＵＥは、ＥＣＮを「オンにする」前にトランスポートパスがＥＣＴ（ＥＣＮ対応トランスポート）であるかどうかを判断するためにトランスポートパスのプロービングを実行し得る。Ｂ）ＵＥは、ルートパスの変更により、問題のあるルータがトランスポートパスに入り、トランスポートパスが非ＥＣＴになるかどうかを判断するために、トランスポートパスをモニタし得る。Ｃ）ＥＣＴ障害が検出された場合、ＵＥはフォールバックしてＥＣＮをオフにし得る。次いで、ＵＥは、そのパスがもう一度ＥＣＴになったかどうかを判断するために、より多くのプロービングとともに再試行する。
【０１１３】
これらのプロシージャは、（たとえば、上記で説明したように、および、たとえば、参照により本明細書に組み込まれる３ＧＰＰ  Ｓ４−０９０６０７において論じられているように）プロービングすること、モニタすること、フォールバックすること、および／または再試行することを必要とするので、ＵＥにおける複雑さの原因となり得る。信頼性は、ワイヤレスリンク上での単純なパケットロスが、またはさらに悪いことには、パケットロスのバーストが、プロービングとＥＣＴ障害検出との信頼性にどのように影響を及ぼすことになるかに関する問題を提起する。アグレッシブなプロービング（たとえば、多くのパケットをＥＣＴでマーキングすること。ただし、ＥＣＴは、後で本明細書でさらに説明するように、ＥＣＴ対応を示すためのマーキングとして使用される）は、ＥＣＴのよりロバストな検出を可能にし得るが、アグレッシブなプロービングは、トランスポートが非ＥＣＴである場合、メディアクリッピングの確率を増加させる。また、パケットロスに起因する非ＥＣＴの誤検出によりＥＣＮが不必要に無効化され、したがってレート適応が無効化されることがある。この結果、ＥＣＴと非ＥＣＴとの間で「ＥＣＮ状態のフラッピング」が起こることがある。ＥＣＮサポートのためにトランスポートをプロービングする場合の遅延により、プローブの数を最小限に抑えながら、トランスポート挙動を迅速に確実に検出するのに十分なプローブを送る必要のバランスをとることが必要となり、なぜなら、これらのプローブの各々は、トランスポートが非ＥＣＴである場合にドロップし得るメディアを搬送するからである。例示的な推奨では、標準リアルタイムトランスポート制御プロトコル（ＲＴＣＰ）報告間隔ごとに少なくとも２つのプローブが送られることと、トランスポートがＥＣＮ対応であるかどうかを判断するためにＥＣＮフィードバックメッセージを評価する前に少なくとも４つのプローブが送られるまで送信側が待機することとを定めている。
【０１１４】
最小数のプローブを送ることは、チャネルのプロービングが少なくとも１〜２つの標準ＲＴＣＰ報告間隔にわたって実行されるべきであることを暗示する。これは、そのような状況下で、少なくとも１つのＲＴＣＰ報告期間よりも長くメディア送信を送った後にＥＣＮが初期化されることを意味する。これは、その時間量だけ「レート適応機構」を遅延させることがある。ＭＴＳＩ初期コーデックモードプロシージャにおけるコーデックモードのランプアップレートを遅くするだけでは、延長時間期間にわたってすべてのＶｏＩＰ呼の初期ボイス品質を不必要に劣化させることになるので、または、反応時間を速くするためにプロービング中にＥＣＴマーキングされたパケットの数を増加させるだけでは、メディアクリッピングのリスクを増加させるので、この問題は解決され得ない。
【０１１５】
ＥＣＮの初期化より前に、パスにおける輻輳を示すためにプロービングパケットをｅＮＢにＥＣＮ−ＣＥマーキングさせることが可能である。しかしながら、プロービングパケットの数が少ないので、受信側における少数のＥＣＮ−ＣＥマーキングされたパケットの指示を受信したメディア送信側は、そのようなフィードバックにあまり確実に反応することができないことがある。たとえば、いくつかの３ＧＰＰ仕様では、メディア送信側は、メディア受信側の、ＥＣＮ−ＣＥマーキングされたパケットの受信を、パケットロスに反応するように扱うべきであると述べている。しかしながら、少ないパケットロスに応答してメディア送信側のレートをメディア送信側が著しく低減するとは予想しないであろう。
【０１１６】
受信されたＥＣＮデータをメディア送信側にフィードバックするためのＲＴＣＰ帯域幅について、様々な仕様は、どの受信されたメディアパケットがＥＣＴまたはＣＥマーキングされているかあるいはドロップしたかを示すＥＣＮメッセージ（またはＲＴＣＰ  ＸＲ）を返送することに依拠する。また、これらの仕様は、ＥＣＮ−ＣＥマーキングされているかまたはドロップしたパケットを検出した後にＡＳＡＰ（即時または初期ＡＶＰＦモード）で、および送信されるべきあらゆる標準複合ＲＴＣＰパケット中に含まれる、という条件の下で、受信側がこのＥＣＮメッセージを送ることを推奨している。報告されるデータの量と報告の頻度が重要であり得る。
【０１１７】
複合ＲＴＣＰパケット中に含まれるとき、ＥＣＮメッセージは、最後の３つのＲＴＣＰ報告期間にわたって、受信されたパケットのステータスを報告する必要がある。いくつかの計算により、それは、報告されている最高７５０個のＶｏＩＰパケットであり得る。これらのパケットの各々について、ＥＣＮメッセージは、パケットがドロップしたのか、ＥＣＮ−ＣＥマーキングされていたのか、またはＥＣＴマーキングされていたのかを示し、報告されているパケットの各々について少なくとも２ビットが必要となる。可逆圧縮を使用することによるメッセージサイズの低減があり得る。ただし、典型的な圧縮比は、受信されたパケットの状態の変動（たとえば、受信側においてパケットロスがどれくらいの頻度で検出されるのか）に基づいて推定されなければならない。
【０１１８】
パケットロスまたはＥＣＮ−ＣＥマーキングされたパケットの受信によってＥＣＮメッセージがトリガされたとき、ＥＣＮメッセージは、パケット到着のそのような大きいウィンドウに関して報告する必要がない。ただし、依然としてＲＲまたはＳＲを含めることが推奨され、これにより、低減されたサイズのＲＴＣＰパケットが送られるときでも、全体的なＲＴＣＰパケットサイズは増加することになる。メッセージサイズと報告の頻度とを組み合わせると、ＶｏＩＰのためのＲＴＣＰ報告帯域幅が増加するであろう。これは、コーデックモードが変更される必要があるときにせいぜい１回シグナリングが行われる、ＵＭＴＳ回線交換ボイス呼のために使用されるレート適応ソリューションと比較して、かなりの量のシグナリングオーバーヘッドを追加する。さらに、ＲＲおよびＲＳ  ＳＤＰ属性を介してＲＴＣＰ帯域幅が小さく保たれている場合は、ＥＣＮメッセージを常に返送する必要があるので、ｅＮＢが輻輳期間または最繁時中にすべてのメディアパケットをマーキングすることを決定したときに他のＡＶＰＦメッセージが窮乏する（すなわち、報告遅延が増加する）ことがある。
【０１１９】
要約すれば、ＥＣＮ対応ネットワークと非ＥＣＮ対応ネットワークとの間にＥＣＮ機能を実装する際の上記で説明した複雑さおよび問題は、異なる事業者によって制御されるネットワークにわたるなど、ネットワークにわたる通信を可能にするための他の手法を示唆する。
【０１２０】
図６に、態様が実装され得る通信システム６００の一実施形態の詳細を示す。この例では、システム６００は、少なくとも、ＥＣＮをサポートするかあるいはＥＣＮ準拠または対応であるように構成された第１のネットワーク６３０、ならびに全体的にまたは部分的に非ＥＣＮ対応である１つまたは複数の追加のネットワーク６５０を含む。ネットワーク６３０および６５０は異なる事業者によって動作させられ得、その場合、一方のネットワークの能力に関する情報が、他方のネットワークにとって利用可能またはアクセス可能でないことがある。たとえば、ネットワーク６３０は、ネットワーク６５０がＥＣＮ対応なのかＥＣＮ対応でないのかを知らないことがある。同様に、ネットワーク６５０はネットワーク６３０の準拠または非準拠に気づいていないことがある。
【０１２１】
図５に示す例の場合と同様に、ネットワーク６３０は、第１の事業者、たとえば、ＡＴ＆Ｔによって制御され得、ネットワーク６５０は、第２の異なる事業者、たとえばＶｅｒｉｚｏｎによって制御され得る。同様に、論理境界６６５は、システム６００において、ＥＣＮ準拠側と非ＥＣＮ準拠側との間に存在し得る。様々な構成では、非ＥＣＮ準拠側は、ネットワーク６５０、ならびに、場合によっては、追加のネットワークまたはネットワーク要素（図示せず）、ならびにスイッチ、ルータ、ケーブル、ワイヤレス接続などのトランスポートインフラストラクチャ６６０を含み得る。同様に、ネットワーク６３０とネットワーク６５０との間の接続性はシグナリングの送信を含み得、そのシグナリングは、例示的な一例では、様々なインフラストラクチャ機構を使用してルーティングされ得る、ネットワーク６３０とネットワーク６５０との間の、ならびにそれらのそれぞれの端末、またはＵＥ６１０とＵＥ６７０との間の、インターネットプロトコル（ＩＰ）パケットであり得る。
【０１２２】
図６に示す例では、ＵＥ６１０および６７０は、図示のように様々な構成要素（ならびに、図示されていない他の構成要素）を通してルーティングされ得る確立された接続またはリンク６８０を有し得る。たとえば、ボイスオーバＩＰ（ＶＯＩＰ）を介した送信のためにデジタル化されたボイスに対応し得るデータが、ＵＥ６１０と、図１〜図４で前に示したようなｅＮＢであり得る基地局６１２との間の通信リンク６８１を介して送られ得る。データは、アナログオーディオ（たとえば、ユーザのボイスまたは他のオーディオソース）などの入力から生成され、符号器復号器（コーデック）を介してデジタルデータに変換され得る。概して、接続の他端にある端末は、そのデータをアナログ出力に変換するために同じコーデックを使用する必要があり得る。データ変換のレートはコーデックによって制御され得、これは、後でさらに説明するように、ゲートウェイ６４０などの他のネットワーク要素から受信されたデータレートシグナリングに基づいて行われ得る。データは、ＩＰパケットの形態などで、メッセージまたはパケットとしてフォーマットされ得る。
【０１２３】
生成されると、次いで、データは、接続６８２を通して基地局６１２からコアネットワーク要素６３２に送られ得、これは、たとえば、図３または図４に示すように構成され得る。次いで、データは、コアネットワーク構成要素６３２を通過し、接続６８３を通してＥＣＮインターワーキングゲートウェイ６４０に与えられ得る。ゲートウェイ６４０は、後で本明細書でさらに説明するように、様々なＥＣＮ機能を実行するように構成され得る。いくつかの実装形態では、インターワーキングゲートウェイ６４０は、別個の１つまたは複数のシステムとして実装され得、他の実装形態では、インターワーキングゲートウェイ６４０は、全体的にまたは部分的に、たとえば、コアネットワーク要素６３２などの他のネットワーク要素内に組み込まれ得る。
【０１２４】
ネットワーク６５０などの第２のネットワークと通信して、ゲートウェイ６４０は、接続６８３から与えられたデータから、ＥＣＮ機能シグナリングを削除するように修正され得る、修正または調整されたメディアデータを与え、修正されたデータを接続６８４を介してトランスポート要素６６０に与え得る。次いで、修正されたメディアデータは、ネットワーク６５０において受信され、さらに、非ＥＣＮ対応様式で基地局６５２を介して接続６８５〜６８７などを通して、端末６７０に与えられ得る。端末６７０と端末６１０との間の双方向通信および対応する機能を可能にするために、端末６７０と端末６１０との間の同様の接続性が反対方向で与えられ得る。例示的な実施形態では、ＵＥ６１０などの第１のネットワークノードから受信されたパケットからＥＣＴまたはＣＥマーキングなどのＥＣＮマーキングを削除することによって、ならびにレート調整に関して第１のネットワークおよび関連するノードにシグナリングするために、メディアが修正され得る。このことの一例については、後で本明細書でさらに説明する。代替的に、または追加として、インターワーキングゲートウェイは、第１のネットワークと第２のネットワークとの間でメディアのデータレートをトランスコードまたは調整すること、および／あるいはこれらの機能の組合せまたは本明細書で説明する他の機能を実行することを行うように構成され得る。
【０１２５】
この例では、端末６１０と端末６７０との間の接続は、図５に示す単一の接続またはリンク５８０とは反対に、サブ接続またはリンク６８０Ａおよび６８０Ｂとして示される２部接続と見なされ得る。ＥＣＮサポートサブ接続６８０Ａでは、第１のネットワークからの接続性は、他方のネットワークのＥＣＮ能力に対してトランスペアレントのように見え得る。たとえば、ＵＥ６１０から見ると、ＵＥ６７０への接続は、ネットワーク６５０の実際の構成（および／または非ＥＣＮ互換（ECN compatible）であり得る任意の追加または中間ネットワークの構成）にかかわらず、ＥＣＮ対応であるように見え得る。事実上、ゲートウェイ６４０は、ＵＥ６１０との間でのＥＣＮシグナリングのための終端として機能し得る。同様に、ＵＥ６７０から見ると、ＵＥ６１０への接続６８０Ｂは、ＥＣＮ機能がＵＥ６１０からサポートされる場合でも、アグノスティックのように見えるか、または非ＥＣＮ互換であるように見え得る。
【０１２６】
後でさらに説明するように、この機能はゲートウェイ６４０によって可能にされ得、ゲートウェイ６４０は、様々な実装形態では、コアネットワークの構成要素として、第１の事業者のシステムの他の要素の構成要素として、および／または（図６の例示的な構成に示すような）別個の構成要素として与えられ得る。ゲートウェイ６４０は、第１の事業者のインフラストラクチャの内部にあり得、または場合によっては第１の事業者のネットワークの外部にあり得る。たとえば、いくつかの実装形態では、ゲートウェイ６４０は、トランスポート構成要素６６０中にあり得、または（図６に示されていない）他のネットワークの間にあり得る。図７に示すようないくつかの実装形態では、ゲートウェイは、第１のＥＣＮ対応ネットワークと、知られていないＥＣＮ能力の第２のネットワークとの間にプロビジョニングされ得る。さらに、いくつかの実装形態では、ゲートウェイは、後でさらに説明するように、依然として２つのＥＣＮ対応ネットワーク間のインターワーキング能力を与えながら、それらの２つのネットワーク間にプロビジョニングされ得る。
【０１２７】
図６に戻ると、ゲートウェイ６４０によって与えられる機能は、第１の事業者のネットワーク中の端末またはＵＥと、他のネットワークの端末またはＵＥとの間でローカルレート適応を行うことによって行われ得る。これを行うために、ゲートウェイ６４０は、ネットワーク６５０（および／または他の接続ネットワークまたはトランスポート構成要素）がＥＣＮ対応でないとき、ローカルレート適応を有効化するためにＵＥ６１０のためのＥＣＮエンドポイントとして機能するように構成され得る。
【０１２８】
ＩＰネットワークマーク内のＥＣＮ機能は、異なるコードポイントを符号化するためにいくつかのビットをＩＰヘッダに追加することによって動作する。たとえば、ＩＰヘッダ中のＤｉｆｆＳｅｒｖフィールドの２つの最下位（すなわち、右端の）ビットは、００：非ＥＣＮ対応トランスポート、１０：ＥＣＮ対応トランスポートＥＣＴ（０）、０１：ＥＣＮ対応トランスポートＥＣＴ（１）、１１：輻輳遭遇（ＣＥ）、のように符号化され得る。両方のエンドポイントがＥＣＮをサポートするとき、両方のエンドポイントは、両方のエンドポイントのパケットをＥＣＴ（０）またはＥＣＴ（１）でマーキングし得る。パケットが、アクティブキュー管理（ＡＱＭ）キューなど、初期輻輳検出をサポートするキューを通過した場合、そのキューは、パケットをドロップする代わりに、コードポイントをＣＥに変更し得る。これは、「マーキング」としても知られ、マーキングの目的は、差し迫った輻輳を受信エンドポイントに通知することである。受信エンドポイントにおいて、この輻輳指示は、上位レイヤプロトコル（たとえば、ＴＣＰ）によって扱われ得、送信ノードの送信レートを送信ノードに低減させるために送信ノードにエコーバックされ得る。
【０１２９】
例示的な実施形態では、インターワーキングゲートウェイ６４０は、輻輳緩和のためにネットワーク間のトランスポートＥＣＮ機能を可能にするために、以下の機能のうちの１つまたは複数を実行するように構成され得る。
【０１３０】
１．ファーエンドＵＥ（たとえば、ＵＥ６７０）および／またはファーエンドネットワーク（たとえば、ネットワーク６５０）がＥＣＮをサポートしない場合、呼セットアップにおいてゲートウェイ６４０とローカルＵＥ（たとえば、ＵＥ６１０）との間でＥＣＮの使用をネゴシエートする。このようにして、ローカルＵＥは、他方のネットワークおよび端末がＥＣＮ対応であるかのように、トランスペアレント様式で動作し得る。
【０１３１】
２．セッション中にレート適応フィードバックを与える。たとえば、ゲートウェイ６４０がローカルＵＥのアップリンクから輻輳遭遇マーキング（ＣＥ）を受信した場合、およびファーエンド端末（たとえば、ＵＥ６７０）がＥＣＮ対応でない場合、ゲートウェイ６４０は、ＣＥ−コードポイントマーキング情報を読み取って適切なレートを判断し、ローカルＵＥのアップリンク上でこの送信レート（一般に、低下させられた送信レート）を要求するために、ＴＭＭＢＲ、ＣＭＲ、あるいは他のレート要求データまたはメッセージをローカルＵＥに送り得る。
【０１３２】
３．セッション中に、ゲートウェイは、ローカルＵＥからのレート要求限界（たとえば、ＴＭＭＢＲ）に一致するように、ダウンリンクパス上でローカルＵＥに送られるメディアのレートを低下させ得る。これは、以下の方法でゲートウェイによって行われ得る。ゲートウェイは、ローカルＵＥからのレート要求情報（ＴＭＭＢＲ）をファーエンドＵＥに効果的に中継し、必要なときに、これを（たとえば、ＲＴＣＰ−ＡＰＰコーデックモード要求、ＲＴＰを介したインバンドコーデックモード要求などとして）ファーエンドＵＥにとって適切なコマンドに変換する。これにより、ファーエンドＵＥは、ローカルＵＥによって要求されたレートでファーエンドＵＥのメディアを符号化することが可能になり、したがって、ローカルＵＥに対するダウンリンク方向のエンドツーエンドレート適応が達成される。
【０１３３】
いくつかの実装形態では、レート調整処理は、全体的にまたは部分的に、ＵＥに加えて、基地局６１２など、第１のネットワーク内の他のノードによって行われ得る。たとえば、基地局６１２は、インターワーキングゲートウェイ６４０からレート低減要求を受信し、ＵＥ６１０の出力データレートを調整するようにＵＥ６１０に命令し得る。
【０１３４】
別の態様では、ゲートウェイ６４０がローカルＵＥからのレート要求情報を中継しない場合、ゲートウェイ６４０は、ファーエンドＵＥから受信されたメディアデータを、ローカルＵＥによって要求されるレートに「トランスコードダウン」し得る。公衆交換電話網（ＰＳＴＮ）端末への呼をサポートするために、Ｇ．７１１から動的に変化するターゲットレートへのトランスコーディングが、ＭＧＷにおいてすでに必要とされている。上記で説明した機能は、非Ｇ．７１１コーデックからのトランスコーディングをサポートするようにこの機能を拡張するために使用され得る。レートのトランスコーディングは、ダウンリンク方向でのみ必要とされ、レートを低減するためにのみ必要とされることがある（すなわち、ファーエンドからのメディアのレートがローカルＵＥによって要求されるレートよりも低い場合、概して、ゲートウェイは、ファーエンドからのメディアをトランスコードする必要がないであろう）。トランスコーディングは両方のシナリオに対して同じ低品質／低レートを目標とするので、ボイス品質の劣化は、エンドツーエンドの場合と比較して極小であるべきである。
【０１３５】
ＥＣＮ実装形態の１つの潜在的な問題は、トランスポートパスが現在および将来、ＥＣＮトランスペアレントのままであることを保証するために、ＵＥにトランスポートパスをプロービングおよびモニタさせることの複雑さに関する。しかしながら、上記で説明した実施形態に基づくと、ＵＥ６１０などのローカルＵＥはトランスポートパスをプロービングする必要がないことがある。ＥＣＮ対応ローカルＵＥがそれのホームネットワーク中にあるとき、そのネットワークがＥＣＮトランスペアレントであるように構成される限り、そのネットワークのネットワーク要素はＥＣＮトランスペアレントであることが保証される。さらに、ローカルＵＥが、ＥＣＮをサポートしないネットワーク６５０などの別の事業者のネットワーク中のＵＥ６７０などの別のＵＥとのＭＴＳＩセッションを確立する場合、上記で説明した態様は、依然としてホームネットワーク中のローカルＵＥのためにレート適応を有効化するであろう。
【０１３６】
場合によっては、端末またはＵＥが他の事業者のネットワーク中にローミングし得る。この場合、インターワーキングゲートウェイの使用によるＥＣＮ機能も対象となり得る。たとえば、ＵＥ６１０などのＥＣＮ有効（ECN-enabled）ＵＥが、ネットワーク６５０などの非ＥＣＮ対応ネットワーク中にローミングし、別のＥＣＮトランスペアレントネットワーク中のＥＣＮ−ＵＥへの呼を行うことがある。この場合、両方のＵＥがＥＣＮ対応であり得るので、ＥＣＮはエンドツーエンドでネゴシエートされ得るが、非ＥＣＮトランスペアレントネットワークがメディアパケットをドロップする可能性があり、これにより、メディアが潜在的にロスすることがある。
【０１３７】
このローミング問題に対する１つの解決策は、ＳＤＰからＥＣＮ能力を削除するためにＥＣＮトランスペアレントネットワークに境界ルータを与えることであり、さらに、ＳＤＰがＥＣＮトランスペアレントネットワークから来ることを境界ルータが（たとえば、サービスレベルアグリーメント（ＳＬＡ）によって）確認することができない場合、ＥＣＮをローカルで扱うための機構を呼び出し得る。
【０１３８】
別のローミング例では、ＵＥ６７０などの非ＥＣＮ−ＵＥが、ネットワーク６３０などのＥＣＮトランスペアレントネットワーク中にローミングするとき、（このＵＥにＥＣＮ能力がないので）ＥＣＮはこのＵＥに対して有効化されないことになる。したがって、ネットワーク６３０の事業者は、その事業者のネットワーク中にローミングしたＵＥをレート適応させることができない。しかしながら、非ＥＣＮ能力をもつインバウンドローマーの数は、事業者のネットワーク中のローカルＵＥの総数と比較して比較的少ないことが予想されるはずである。したがって、レート適応しないこれらのローマーの影響は極小であることが予想されるはずである。
【０１３９】
レート決定のフィードバックは、たとえば、参照により本明細書に組み込まれる３ＧＰＰ  ＴＳ２６．１１４において定義されているＲＴＣＰ  ＡＰＰパケットを使用して、メディア受信側から送信側に送られ得る。したがって、ビデオコーデックを含むすべてのコーデックをカバーするために、より一般的なメッセージ、ＴＭＭＢＲが使用され得る。ＴＭＭＢＲメッセージのサポートは、３ＧＰＰ  ＴＳ２６．１１４においてＩＭＳのためのマルチメディアテレフォニーサービス（ＭＴＳＩ：Multimedia Telephony Services for IMS）ビデオサービスのためにすでに必要とされており、したがって、すべてのコーデックに対する使用のために拡張され得る。
【０１４０】
概して、ＥＣＮフィードバックメッセージの必要がないことがある。ＥＣＮフィードバックメッセージを送ることは、以下の問題を提起し得る。送ることは、特に、ＶｏＩＰメディアのために必要とされる帯域幅の量と比較して、かなりの量のＲＴＣＰ帯域幅を必要とする。ＥＣＮフィードバックメッセージとＲＴＣＰ  ＡＰＰパケットとを使用することについて規定されたプロシージャにより、メディア送信側において「２重の適応」のあいまいさが生じることがある。メディア受信側は、ＲＴＣＰ  ＡＰＰパケットを使用してメディア送信側に一定のレートを要求し、メディア送信側は、ＥＣＮフィードバックメッセージ中の情報を使用してメディア送信側のレートを適応させるように要求される。レート情報がメディア送信側に直接フィードバックされており、ＭＴＳＩ端末がトランスポートパスをプロービングする必要がないので、ＥＣＮフィードバックメッセージを送る必要がないことがある。
【０１４１】
すべての事業者が、ＥＣＮを使用するレート適応機能に関心があるわけではないことがあり、したがって、ＥＣＮ能力はＵＥおよび／またはネットワークにおいて随意であることがある。そのような能力を展開することに関心がある事業者は、これをＵＥベンダーの端末に実装するようにＵＥベンダーに要求することがあり、インフラストラクチャベンダーのネットワーク要素が適切な要件を満たすことを保証するようにインフラストラクチャベンダーに要求することがある。
【０１４２】
図７に、態様が実装され得る別の通信システム７００を示す。システム７００では、第１のネットワーク７３０が、図６のネットワーク６３０と同様に構成され得、第１のＵＥ７３１、基地局またはｅＮＢ７１２、コアネットワーク７３２、インターワーキングゲートウェイ７４０を含む同様の要素、ならびに他の中間要素（図示せず）を含み得る。データは、同様に、第１のネットワークリンク７８０Ａを形成するように、第１のＵＥ７１０とゲートウェイ７４０との間のリンク７８１、７８２、および７８３を通してルーティングされ得る。
【０１４３】
ただし、第２のネットワーク７５０の能力は知られていないことがあり（すなわち、第２のネットワークはＥＣＮ対応であり得るが、第１のネットワークは第２のネットワークがＥＣＮ対応であるか否かを判断することができないことがある）、または場合によっては、第１のネットワークと第２のネットワークの両方がＥＣＮ対応であることがある。たとえば、コアネットワーク７５２、基地局７５２、端末またはＵＥ７７０、および／あるいは構成要素７６０などの他の構成要素が、ＥＣＮ対応であることもあり、ＥＣＮ対応でないこともある。ネットワーク７５０では、シグナリングは、図６に示す接続と同様に、ゲートウェイ７４０から、リンク７８４、７８５、７８６、および７８７などのリンクを通して与えられ得る。リンク７８０Ｂは、構成に応じて、知られていないまたはＥＣＮ対応リンクを備え得る。これらの場合のいずれかでは、インターワーキングゲートウェイ７４０は、第１または第２のネットワークのいずれかあるいは両方からの輻輳指示のためのＥＣＮ終端として働くことによって、ならびに一方または両方のネットワークにＥＣＮ機能トランスペアレンシを与えることによって、ネットワーク６００に関して説明した機能に類似する機能を与えるように構成され得る。
【０１４４】
たとえば、ある場合には、第１のネットワークの事業者が、決して第２のネットワークとＥＣＮ能力をネゴシエートしないことを選択し得る。代わりに、インターワーキングゲートウェイは、第１のネットワークと第２のネットワークとの両方とＥＣＮ動作をネゴシエートし得る。この場合、ゲートウェイは、たとえば、ＥＣＮマーキングされたメディアを受信し得、ゲートウェイは、ＥＣＮマーキングされたパケットを第１のネットワークのノードにフォワーディングするか、または、たとえば、第１および第２のネットワーク中のデバイスによってサポートされるレートに応じてメディアを異なるレートにトランスコードするためなどに、ＥＣＮマーキングされたパケットを処理し得る。
【０１４５】
別の例では、受信側主導の輻輳制御ではなく送信側主導の輻輳制御が実装され得る。前に説明した例では、ＥＣＮ受信側主導の輻輳制御が一般に使用される（すなわち、受信側は、輻輳情報を使用して、送信側がどのレートを使用すべきかを判断し、そのレートは、レート調整要求などを通して送信側にシグナリングされる）。送信側主導の輻輳制御を使用する実装形態では、受信側が、輻輳に遭遇したことを送信側に示すが、送信側が、どのレートを使用すべきかを決定する。この場合、インターワーキングゲートウェイは、２つのネットワーク中のノード間で、および特に、異なる手法（すなわち、送信側のある手法と、受信側の別の手法）を使用するネットワーク間で、送信側および受信側輻輳制御をネゴシエートするように構成され得る。場合によっては、ＣＥマーキングが受信されたとき、インターワーキング機能は、たとえば、メディアをＥＣＮマーキングでマーキングするなど、ＥＣＮフィードバックメッセージを生成することを決定し得る。さらに、インターワーキング機能は、第１のネットワーク中のノードと第２のネットワーク中のノードとの両方がＥＣＮ対応である場合でも、第１のネットワーク中のノードと第２のネットワーク中のノードとの間でレートをネゴシエートするために使用され得る。
【０１４６】
場合によっては、たとえば、３つの異なるキャリアによって制御され得る３つの異なるネットワーク中のユーザ間の３方向呼の場合などにおいて、２つ以上のネットワークが相互接続され得る。この場合、インターワーキングゲートウェイは、たとえば、様々なネットワーク間でレートをネゴシエートすること、異なるネットワーク間でメディアをトランスコードすること、様々なネットワーク間のインターワーキングを管理すること、または本明細書の他の場所で説明するインターワーキング機能と同様の他のインターワーキング機能を与えることなどによって、３つの（またはより多くの）ネットワーク間のインターワーキングを与えるように構成され得る。たとえば、インターワーキングゲートウェイは、それらのネットワークのうちの他のネットワークではなく、それらのネットワークのうちの１つのネットワーク中のノードからレート低減をシグナリングするために使用され得る。代替的に、または追加として、特定のネットワーク輻輳状態に基づいて複数のネットワーク間でメディアがトランスコードされ得る。
【０１４７】
次に図８に注目すると、図８は、図６のインターワーキングゲートウェイ６４０または図７のインターワーキングゲートウェイ７４０に対応し得るインターワーキングゲートウェイ構成要素８４０と、同じ事業者に関連するネットワーク中の、ＵＥ６１０またはＵＥ７１０に対応し得る１つまたは複数のＵＥ８３０との間のＥＣＮ機能を与えるために使用され得る、システム８００の一実施形態の詳細を示している。システム８００は、たとえば、図１〜図４および図６〜図７に示す端末デバイスなど、様々な端末デバイス８３０に対してワイヤレスネットワーク８１０（または複数のネットワーク）上での通信が可能なエンティティであり得る１つまたは複数の基地局８２０（ノード、発展型ノードＢ、すなわちｅＮＢ、サービングｅＮＢ、ターゲットｅＮＢ、マクロノード、フェムトノード、ピコノードなどとも呼ばれる）を含み得る。たとえば、各デバイス８３０はアクセス端末（端末、ユーザ機器（ＵＥ）、モビリティ管理エンティティ（ＭＭＥ）、モバイルデバイスなどとも呼ばれる）であり得る。基地局８２０および／またはデバイス８３０は、ゲートウェイ構成要素８４０に通信する明示的輻輳通知（ＥＣＮ）構成要素８３３を含み得る。対応するゲートウェイＥＣＮ構成要素８４３は、ＵＥ８３０と、非ＥＣＮ対応であり得る、異なる事業者のネットワーク中のＵＥなど、別のネットワーク中のデバイスとの間の相互接続性を可能にするために与えられ得る。これは、図６および図７の接続６８４および７８４に対応し得る接続８８４を通して行われ得る。
【０１４８】
図示のように、基地局８２０は、ダウンリンク（ＤＬ）８６０を介してデバイス８３０（または複数のデバイス）に通信し、アップリンク（ＵＬ）８７０を介してデータを受信し得る。様々な実装形態では、デバイス８３０もダウンリンクチャネルを介してデータを送信し、アップリンクチャネルを介してデータを受信することができるので、アップリンクおよびダウンリンクのような表示は任意である。２つの構成要素８２０および８３０が示されているが、ネットワーク８１０上で（ならびに／または他のネットワークおよびネットワーク実装形態上で）３つ以上の構成要素が採用され得ることに留意されたい。
【０１４９】
概して、システム８００は、本明細書で説明するように、異なるネットワークにわたって明示的輻輳通知（ＥＣＮ）プロトコルを処理するように構成される。これは、ＥＣＮプロトコルを少なくとも１つのデバイス８３０（または複数のデバイス８３０）に通信することを含み得る。次いで、ゲートウェイ構成要素８４０は、（１つまたは複数の）デバイス８３０、およびＥＣＮ対応であり得る少なくとも１つのローカルネットワークとともに、ＥＣＮプロトコルを処理し得、ゲートウェイ構成要素８４０は、さらに、デバイス８３０とローカルネットワークとからのデータを、ＥＣＮプロトコルをサポートしないかまたはＥＣＮ能力が知られていないことがある、少なくとも１つの他のネットワークに通信する。
【０１５０】
図９に、本明細書で説明するＥＣＮ機能を与えるように構成され得る例示的なＬＴＥ通信システム９００における基地局９１０（たとえば、ｅＮＢまたはＨｅＮＢ）と端末９５０（すなわち、端末、ＡＴまたはＵＥ）との一実施形態のブロック図を示す。これらの構成要素は、図１〜図４および図６に示す構成要素に対応し得、図１０〜図１３において後で本明細書で示す処理の全部または一部を実装するように構成され得る。
【０１５１】
ＥＣＮメッセージングを送信および受信すること、ならびに本明細書で前に説明した他の機能など、様々な機能が、基地局９１０中に示すプロセッサおよびメモリにおいて（および／または図示されていない他の構成要素において）実行され得る。ＵＥ９５０は、たとえば、ＥＣＮメッセージングを送信および受信するために、ならびに／またはレート適応を含む、本明細書で説明する様々なＥＣＮ関係の機能に従って動作を調整するために、基地局９１０から信号を受信するための、１つまたは複数のモジュールを含み得る。
【０１５２】
一実施形態では、基地局９１０は、本明細書で前に説明したように、ＵＥ９５０から受信された情報に応答して、あるいは（図９に示されていない）別の基地局またはコアネットワークからのバックホールシグナリングから受信された情報に応答して、出力送信を調整し得る。これは、プロセッサ９１４、９３０およびメモリ９３２など、基地局９１０の１つまたは複数の構成要素（または図示されていない他の構成要素）において行われ得る。基地局９１０は、送信モジュール９２４など、ｅＮＢ９１０の１つまたは複数の構成要素（または図示されていない他の構成要素）を含む送信モジュールをも含み得る。基地局９１０は、干渉消去機能を与えるための、プロセッサ９３０、９４２、復調器モジュール９４０およびメモリ９３２などの１つまたは複数の構成要素（または図示されていない他の構成要素）を含む干渉消去モジュールを含み得る。基地局９１０は、本明細書で前に説明したようにサブフレーム区分機能を実行するための、および／またはサブフレーム区分情報に基づいて送信機モジュールを管理するための、プロセッサ９３０、９１４およびメモリ９３２などの１つまたは複数の構成要素（または図示されていない他の構成要素）を含むサブフレーム区分調整モジュールを含み得る。基地局９１０は、受信機機能を制御するための制御モジュールをも含み得る。基地局９１０は、コアネットワーク中のバックホールシステム、または図３および図４に示す他の構成要素など、他のシステムとのネットワーキングを与えるためのネットワーク接続モジュール９９０を含み得る。
【０１５３】
同様に、ＵＥ９５０は、受信機９５４など、ＵＥ９５０の１つまたは複数の構成要素（または図示されていない他の構成要素）を含む受信モジュールを含み得る。ＵＥ９５０は、プロセッサ９６０および９７０、ならびにメモリ９７２など、ＵＥ９５０の１つまたは複数の構成要素（または図示されていない他の構成要素）を含む信号情報モジュールをも含み得る。一実施形態では、ＵＥ９５０において受信された１つまたは複数の信号が処理されて、基地局９１０および／または他の基地局（図示せず）などのｅＮＢに関するチャネル特性、電力情報、空間情報および／または他の情報が推定される。ＵＥ９５０に通知されている半静的サブフレーム中に基地局９１０によって測定が実行され得る。メモリ９３２および９７２は、チャネル測定とチャネル情報、電力レベルおよび／または空間情報の判断、セルＩＤ選択、セル間調整、干渉消去制御、ならびに本明細書で説明する、サブフレーム割振り、インターレーシング、および関連する送信および受信に関係する他の機能に関連するプロセスを実装するために、プロセッサ９６０、９７０および９３８などの１つまたは複数のプロセッサ上で実行するためのコンピュータコードを記憶するために使用され得る。
【０１５４】
動作中、基地局９１０において、いくつかのデータストリームのトラフィックデータがデータソース９１２から送信（ＴＸ）データプロセッサ９１４に供給され得、そこで、そのトラフィックデータは、処理され、１つまたは複数のＵＥ９５０に送信され得る。送信されたデータは、インターレースされたサブフレーム送信を与えるために、および／または１つまたは複数のＵＥ９５０において関連する信号測定を実行するために、本明細書で前に説明したように制御され得る。
【０１５５】
一態様では、各データストリームは、基地局９１０の（送信機９２４1〜９２４Ntとして示される）それぞれの送信機サブシステムを介して処理され、送信される。ＴＸデータプロセッサ９１４は、コード化データを与えるために、各データストリームのトラフィックデータを、そのデータストリーム用に選択された特定のコーディング方式に基づいて受信し、フォーマットし、コーディングし、インターリーブする。特に、基地局９１０は、特定の基準信号と基準信号パターンとを判断することと、選択されたパターンにおいて基準信号および／またはビームフォーミング情報を含む送信信号を与えることとを行うように構成され得る。
【０１５６】
各データストリームのコード化データは、ＯＦＤＭ技法を使用してパイロットデータで多重化され得る。パイロットデータは、典型的には、既知の方法で処理される既知のデータパターンであり、チャネル応答を推定するために受信機システムにおいて使用され得る。たとえば、パイロットデータは基準信号を含み得る。パイロットデータは、図９に示すようにＴＸデータプロセッサ９１４に供給され、コード化データで多重化され得る。次いで、各データストリームの多重化されたパイロットデータおよびコード化データは、変調シンボルを与えるために、そのデータストリーム用に選択された特定の変調方式（たとえば、ＢＰＳＫ、ＱＳＰＫ、Ｍ−ＰＳＫ、Ｍ−ＱＡＭなど）に基づいて変調（すなわち、シンボルマッピング）され得、データおよびパイロットは、異なる変調方式を使用して変調され得る。各データストリームのデータレート、コーディング、および変調は、メモリ９３２、あるいはＵＥ９５０の他のメモリまたは命令記憶媒体（図示せず）に記憶された命令に基づいてプロセッサ９３０によって実行される命令によって判断され得る。
【０１５７】
次いで、すべてのデータストリームの変調シンボルがＴＸ  ＭＩＭＯプロセッサ９２０に供給され得、ＴＸ  ＭＩＭＯプロセッサ９２０はさらに（たとえば、ＯＦＤＭ実装形態用に）その変調シンボルを処理し得る。次いで、ＴＸ  ＭＩＭＯプロセッサ９２０はＮｔ個の変調シンボルストリームをＮt個の送信機（ＴＭＴＲ）９２２1〜９２２Ntに供給し得る。様々なシンボルは、送信のために関連するＲＢにマッピングされ得る。
【０１５８】
ＴＸ  ＭＩＭＯプロセッサ９３０は、シンボルの送信元の１つまたは複数のアンテナに対応するビームフォーミング重みをデータストリームのシンボルに適用し得る。これは、基準信号によってまたは基準信号とともに与えられたチャネル推定情報、および／あるいはＵＥなどのネットワークノードから与えられた空間情報などの情報を使用することによって行われ得る。たとえば、ビームＢ＝ｔｒａｎｓｐｏｓｅ（［ｂ１  ｂ２  ．．ｂNt］）は、各送信アンテナに対応する重みのセットから構成される。ビームに沿って送信することは、そのアンテナのためのビーム重みによってスケーリングされるすべてのアンテナに沿って変調シンボルｘを送信することに対応し、すなわち、アンテナｔ上で送信信号はｂｔ＊ｘである。複数のビームが送信されるとき、１つのアンテナ上の送信信号は、異なるビームに対応する信号の和である。これは、数学的にＢ１ｘ１＋Ｂ２ｘ２＋ＢＮsｘＮsとして表され得、ただし、Ｎs個のビームが送信され、ｘｉは、ビームＢｉを使用して送られる変調シンボルである。様々な実装形態では、ビームはいくつかの方法で選択され得る。たとえば、ビームは、ＵＥからのチャネルフィードバック、ｅＮＢにおいて利用可能なチャネル知識に基づいて、または隣接するマクロセルなどとともに干渉緩和を可能にするためにＵＥから与えられた情報に基づいて、選択され得る。
【０１５９】
各送信機サブシステム９２２1〜９２２Ntは、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、送信機９２２1〜９２２NtからのＮt個の変調信号は、それぞれ、Ｎt個のアンテナ９２４1〜９２４Ntから送信される。
【０１６０】
ＵＥ９５０において、送信された変調信号はＮr個のアンテナ９５２1〜９５２Nrによって受信され、各アンテナ９５２から受信された信号は、それぞれの受信機（ＲＣＶＲ）９５４1〜９５２Nrに供給される。各受信機９５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０１６１】
次いで、ＲＸデータプロセッサ９６０は、特定の受信機処理技法に基づいてＮr個の受信機９５４1〜９５２NrからＮr個の受信シンボルストリームを受信し、処理して、Ｎs個の「検出」シンボルストリームを与えて、Ｎs個の送信シンボルストリームの推定値を与える。次いで、ＲＸデータプロセッサ９６０は、各検出シンボルストリームを復調し、デインターリーブし、復号して、データストリームのトラフィックデータを復元する。ＲＸデータプロセッサ９６０による処理は、一般に、基地局９１０においてＴＸ  ＭＩＭＯプロセッサ９２０およびＴＸデータプロセッサ９１４によって実行される処理を補足するものである。
【０１６２】
プロセッサ９７０は、以下でさらに説明するように使用するためにプリコーディング行列を周期的に判断し得る。次いで、プロセッサ９７０は、行列インデックス部分とランク値部分とを含み得る逆方向リンクメッセージを作成し得る。様々な態様では、逆方向リンクメッセージは、通信リンクおよび／または受信データストリームに関する様々なタイプの情報を含み得る。次いで、逆方向リンクメッセージは、データソース９３６からいくつかのデータストリームのトラフィックデータをも受信し得るＴＸデータプロセッサ９３８によって処理され得、そのトラフィックデータは、次いで、変調器９８０によって変調され、送信機９５４1〜９５４Nrによって調整され、基地局９１０に戻され得る。基地局９１０に戻された情報は、基地局９１０からの干渉を緩和するためにビームフォーミングを行うための電力レベルおよび／または空間情報を含み得る。
【０１６３】
基地局９１０において、ＵＥ９５０からの変調信号は、アンテナ９２４によって受信され、受信機９２２によって調整され、復調器９４０によって復調され、ＲＸデータプロセッサ９４２によって処理されて、ＵＥ９５０によって送信されたメッセージが抽出される。次いで、プロセッサ９３０は、ビームフォーミング重みを判断するためにどのプリコーディング行列を使用すべきかを判断し、次いで、抽出されたメッセージを処理する。
【０１６４】
図１０に、図６および図７に示すゲートウェイ６４０または７４０に対応し得る例示的なインターワーキングゲートウェイ１０００の詳細を示す。ゲートウェイ１０００は、ゲートウェイと、ネットワーク６３０またはネットワーク７３０と対応し得る関連する第１のネットワークとの間のデータおよびメディアの通信を可能にするための１つまたは複数の第１のネットワークインターフェース１０３０を含み得る。場合によっては、インターワーキングゲートウェイおよび関連する機能は、全体的にまたは部分的に、コアネットワークとともにまたは第１のネットワークの他のノードとともに組み込まれ得る。
【０１６５】
第１のネットワーク中の端末またはＵＥなどのノードがＥＣＮプロトコルに従って機能し得るように、データは、ＥＣＮ機能に合わせたデータを含み得る。さらに、ゲートウェイ１０００は、ゲートウェイと、図６および図７に示すネットワーク６５０または７５０に対応し得る１つまたは複数の他のネットワークとの間でインターフェースすることを可能にするための１つまたは複数の第２のネットワークインターフェース１０２０を含み得る。さらに、ゲートウェイ１０００は、１つまたは複数のプログラムモジュール１０６０に記憶され得る命令を実行するように構成された１つまたは複数のプロセッサモジュールを含み得る。プログラムモジュール１０６０は、１つまたは複数の物理メモリまたは他のデータストレージデバイスを含み得るメモリ空間１０５０に記憶され得る。さらに、メモリ１０５０は、オペレーティングシステムモジュール１０５２、動作またはメッセージデータ１０５４、および／あるいは他のデータまたは情報など、他のデータまたは情報を含み得る。
【０１６６】
プログラムモジュールは、輻輳指示を処理する、およびレート調整メッセージングを生成する、など、ゲートウェイとローカルＵＥとの間のＥＣＮ処理を可能にするように構成された第１のネットワークインターフェースモジュール１０６４と、レート適応についての要求に応答する、（たとえば、ＥＣＴまたはＣＥビットなどのＥＣＮビットを取り除くことによって）非ＥＣＮネットワークフォーマットに合わせてＥＣＮパケットを調整する、および／または本明細書で説明する他の処理を実行する、など、ゲートウェイと外部ネットワークとの間のＥＣＮ処理を可能にするように構成され得る第２のネットワークインターフェースモジュール１０６２とを含み得る。さらに、プログラムモジュール１０６０は、２つ以上のネットワーク間でデータをトランスコードするためのトランスコーディングモジュール１０６６、ならびに本明細書で説明するインターワーキング処理および機能を実行するための（図１０に示されていない）他のモジュールを含み得る。
【０１６７】
図１１に、インターワーキング機能を使用して通信を行うためのプロセス１１００の一実施形態を示す。段階１１１０において、たとえば、図６および図７に示すような、たとえば、インターワーキングゲートウェイにおいて、輻輳の指示を受信する。上記指示は、第１のネットワーク中のノードから与えられ得、第１のネットワークは、たとえば、ＥＣＮ対応ネットワークであり得る。上記指示は、第２のネットワーク中の第２のＵＥなどの別のネットワークノードに送られているメディアに関連するデータパケット中のＣＥ指示など、ＥＣＮ輻輳メッセージングを使用する指示であり得る。
【０１６８】
たとえば、ＥＣＮ対応であり得る、たとえば、図６のＵＥ６１０など、第１のネットワーク中の第１のＵＥは、ＥＣＮ対応でない、たとえば、ＵＥ６７０など、第２のネットワーク中の第２のＵＥにメディアを送り得る。メッセージは、ルータ、スイッチなどの中間ノード、および／または輻輳に遭遇し得る第１のネットワークの他のノードを通して送られ得る。この場合、たとえば、ＥＣＮプロトコルに従って設定されたＣＥビットで、パケットが中間ノードによってマーキングされ、潜在的な輻輳が示され得る。インターワーキングゲートウェイにおいて受信されると、パケットは、第１のネットワークノードに対して第２のネットワークをＥＣＮトランスペアレントのように見せるために、またはＥＣＮ機能を維持しながら、第１のネットワークからの輻輳指示メッセージングのための終端ポイントとしてインターワーキングゲートウェイ機能を働かせるために、第２のネットワークとのインターワーキングを可能にするように処理され得る。
【０１６９】
たとえば、段階１１２０において、インターワーキングゲートウェイにおいて、第２のネットワークへの送信のためにメディアを非ＥＣＮ対応フォーマットのメディアであるように調整する。これは、たとえば、パケット中に設定された任意のＥＣＮビットを削除すること（たとえば、ＥＣＴビット、ＣＥビットなどを取り除くこと）によって行われ得る。次いで、段階１１３０において、調整されたメッセージを第２のネットワークに送る。いくつかの実装形態では、メディア調整段階１１２０は省略され得、メディアは、調整されずに第２のネットワークに送られ得る。
【０１７０】
さらに、段階１１４０において、データレート調整要求を生成する。これは、第１のネットワークにおいて輻輳に遭遇したことと、その輻輳を緩和し、潜在的なパケットロスを回避するために、より低いデータレートが望ましいことがあることとを第１のＵＥに示すために行われ得る。次いで、調整要求は、ＵＥに、および／または、たとえば、図６に示す基地局６１２などのサービング基地局など、中間ノードに送られ得る。場合によっては、データレート調整は、基地局６１２などの別のノードとともに行われ得るが、概して、第１のＵＥがデータレート調整要求に直接応答することになる。たとえば、ＵＥは、第２のＵＥに与えられるようにメディアのデータレートを調整し得、これは、一般に、より低いデータレートへの調整となる。場合によっては、ＵＥ、および／またはサービング基地局などの他のノードは、データレートを調整しないことを決定し得る。
【０１７１】
段階１１６０において、インターワーキングゲートウェイにおいて、調整されたレートで第１のＵＥによって送られたメディアを受信する。段階１１２０と同様に、メディアは、第２のネットワークへの送信のために非ＥＣＮ対応フォーマットに合わせて調整され得る。たとえば、第２のネットワークへのフォワーディングの前にパケットからＥＣＮビットが取り除かれ得る。場合によっては、調整が行われないことがある。どちらにしても、次いで、メディアは第２のネットワークにフォワーディングされ得、そこで、メディアは最終的に第２のＵＥに配信され得る。
【０１７２】
図１２に、インターワーキング機能を使用して通信を行うためのプロセス１２００の一実施形態を示す。プロセス１２００は、たとえば、図１１に示すように、インターワーキングゲートウェイによって与えられる機能とともに、たとえば、第１のネットワークＵＥによって実装され得る。段階１２１０において、ＥＣＮ対応ネットワーク中で動作するＥＣＮ対応ＵＥなどの第１のネットワークノードが、非ＥＣＮ対応ネットワークであり得る第２のネットワーク中の第２のＵＥなど、第２のネットワーク中のノードにメディアを送る。第１および第２のＵＥは、図６および図７に示すように通信していることがある。段階１２１０において送られたメディアは、第１のネットワークにおける輻輳を受けることがあり、たとえば、パケット中へのＣＥビットの設定など、輻輳指示が中間ノードによって行われ得る。インターワーキングゲートウェイにおいて受信されると、メディアデータレート低減要求が生成され、送られ得、次いで、段階１２２０において、第１のＵＥはメディアデータレート低減要求を受信する。次いで、状態１２３０において、ＵＥは、第１のネットワークにおける輻輳を緩和するために、調整要求に応答してデータレートを、一般に、より低いデータレートに調整する。場合によっては、ＵＥ、および／またはサービング基地局などの他の中間ノードは、データレートを調整しないことを選択し得る。
【０１７３】
次いで、段階１２４０において、第２のネットワークおよび第２のＵＥへのさらなる送信のために、調整されたレートでメディアをインターワーキングノードに送る。メディアは、たとえば、図１１などに示すように、さらに第２のネットワークおよび第２のＵＥに送信される前に、インターワーキングゲートウェイによって処理され得る。
【０１７４】
図１３に、インターワーキング機能を使用して通信を行うためのプロセス１３００の一実施形態を示す。段階１３１０において、インターワーキングゲートウェイなどにおいて、たとえば、ボイスまたはオーディオコンテンツ、ビデオコンテンツ、画像、あるいは他のコンテンツであり得る、メディアを受信する。メディアは、ＥＣＮ対応であり得る、端末またはＵＥなど、第１のネットワーク中のノードから与えられ得る。メディアは、たとえば、ルータまたはスイッチなど、第１のネットワーク中の中間ノードによってマーキングされ得、上記マーキングすることは輻輳指示を与え得る。たとえば、ＣＥフラグまたはビットがメディアパケット中に設定され得る。
【０１７５】
段階１３２０において、たとえば、パケットからＣＥフラグまたはビットを削除することなどによって、ＥＣＮフィードバックシグナリングまたはマーキングを削除するようにメディアを修正する。次いで、段階１３３０において、非ＥＣＮフォーマットでメディアを第２のネットワークおよび関連する第２のネットワークノードに送る。たとえば、第２のネットワークは非ＥＣＮ対応であり得、それに応じてメディアが修正される。メディアは、たとえば、ＥＣＴまたはＣＥビットまたはフラグなどのＥＣＮシグナリングを削除することによって、修正され得る。
【０１７６】
図１４に、インターワーキング機能を使用して通信を行うためのプロセス１４００の一実施形態を示す。段階１４１０において、第２のネットワークからメディアを受信する。たとえば、メディアは、非ＥＣＮ対応であり得る第２のネットワーク中のＵＥから与えられ、たとえば、図６および図７に示すようなインターワーキングゲートウェイにおいて受信され得る。次いで、段階１４２０において、メディアを第１のネットワークにフォワーディングする。たとえば、メディアは、ＥＣＮ対応であり得る第１のネットワーク中の第１のＵＥに与えられ得る。さらに、段階１４１５において、インターワーキングゲートウェイは、たとえば、ＥＣＴマーキングをメディアに追加することなどによって、ＥＣＮ機能をサポートするために、ＥＣＮ互換であるようにメディアを調整する。これにより、第１のネットワーク内のノードは、インターワーキングゲートウェイと第１のＵＥとの間で輻輳に遭遇した場合にＣＥビットを設定することが可能になり得る。
【０１７７】
たとえば、第１のＵＥは、それぞれ図６および図７のＵＥ６１０または７１０に対応し得る。メディアは、たとえば、ＣＥマーキングなどの、ＥＣＮ指示とともに、第１のネットワークの中間ノードを通して送信中にマーキングされ得る。次いで、第１のＵＥは、輻輳指示に基づいてレート低減要求を送り得、レート低減要求は第２のネットワーク中の（第２のＵＥとして示される）ＵＥを対象とし得る。段階１４３０において、インターワーキングゲートウェイは、第１のネットワークからレート調整要求を受信する。レート調整要求に応答して、インターワーキングゲートウェイは、第１のネットワークと第２のネットワークとの間でＥＣＮ機能の統合を行うように上記要求を処理し得る。たとえば、これは、１４４０において、第２のネットワークの能力についての決定を行うことによって行われ得、これは、ＥＣＮ機能を維持するために上記要求をさらにどのように処理すべきかに関して、インターワーキングゲートウェイにおいて行われ得る。たとえば、インターワーキングゲートウェイは、第２のＵＥがレート低減要求を適応させることができるかどうかを知っていることがあり、または判断することができることがある。これは、たとえば、ビデオなどのいくつかのタイプのメディアについて定義され得るネゴシエーションによって、行われ得る。第２のＵＥが上記要求を適応させることができるとゲートウェイが知っているかまたは判断することができる場合、段階１４５０において、ゲートウェイは上記要求を第２のネットワークにフォワーディングし、次いで、上記要求は、たとえば、図６および図７に示すような第２のＵＥに送られ得、ＵＥ６７０または７７０は第２のＵＥに対応し得る。ＵＥが上記要求を適応させることができるかどうかをゲートウェイが知らないかまたは判断することができない場合、ゲートウェイは、第１のネットワークにおける輻輳を回避するために第２のＵＥからの着信メッセージを処理し得る。たとえば、段階１４６０において、インターワーキングゲートウェイは、輻輳を緩和するために第２のネットワークからのメディアをトランスコードする。これは、たとえば、第１のネットワークにおいてデータの量が低減されるようにメディアをより低いデータレートにトランスコードすることによって、行われ得る。場合によっては、第１のネットワークから与えられたメディアも、第２のネットワーク中のデバイスによって予想されるデータレートを適応させるために、たとえば、インターワーキングゲートウェイによって、トランスコードされ得る。
【０１７８】
いくつかの構成では、ワイヤレス通信のための装置は、本明細書で説明する様々な機能を実行するための手段を含む。一態様では、上述の手段は、図８〜図１０に示すような実施形態が常駐し、上述の手段によって具陳される機能を実行するように構成された、１つまたは複数のプロセッサおよび関連メモリであり得る。上述の手段は、たとえば、本明細書で説明するＥＣＮ関係の機能を与えるための、図１〜図４および図６〜図１０に示すようなＵＥ、ｅＮＢ、インターワーキングゲートウェイまたは他のネットワークノード中に常駐する、モジュールまたは装置であり得る。別の態様では、上述の手段は、上述の手段によって具陳される機能を実行するように構成されたモジュールまたは任意の装置であり得る。
【０１７９】
１つまたは複数の例示的な実施形態では、説明した機能、方法およびプロセスは、ハードウェア、ソフトウェア、ファームウェア、またはそれらの任意の組合せで実装され得る。ソフトウェアで実装される場合、機能は、コンピュータ可読媒体上に記憶されるか、あるいは１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含むことができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１８０】
開示するプロセスおよび方法におけるステップまたは段階の特定の順序または階層は、例示的な手法の例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１８１】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１８２】
さらに、本明細書で開示する実施形態に関して説明する様々な例示的な論理ブロック、モジュール、回路、およびアルゴリズムステップは、電子ハードウェア、コンピュータソフトウェア、または両方の組合せとして実装され得ることを、当業者なら諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１８３】
本明細書で開示する実施形態に関して説明する様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１８４】
本明細書で開示する実施形態に関して説明する方法、プロセスまたはアルゴリズムのステップまたは段階は、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１８５】
特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は「１つまたは複数の」を指す。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃをカバーするものとする。
【０１８６】
開示する態様の前述の説明は、当業者が本開示を実施または使用できるようにするために提供されるものである。これらの態様への様々な修正は当業者には容易に明らかとなり、本明細書で定義した一般原理は、本開示の趣旨または範囲から逸脱することなく他の態様に適用され得る。したがって、本開示は、本明細書で示した態様に限定されるものではなく、本明細書で開示する原理および新規の特徴に一致する最も広い範囲を与えられるべきである。以下の特許請求の範囲およびそれらの等価物は本開示の範囲を定義するものとする。
以下に、出願当初の特許請求の範囲に記載された発明を付記する。
［書類名］  特許請求の範囲
［Ｃ１］  
第１のネットワークと第２のネットワークとの間に結合されたインターワーキングゲートウェイにおいて、第１のデータレートで生成されたメディアの第１のセットを受信することと、ここにおいて、前記メディアの第１のセットは、前記第１のネットワーク内で生成されたネットワーク輻輳の指示を含む、
前記指示に応答して、前記第１のネットワーク中の第１のユーザ機器（ＵＥ）により低いデータレートを要求するためのデータレート調整要求を与えることと
を備える、通信を提供するための方法。
［Ｃ２］  
前記インターワーキングゲートウェイにおいて、前記データレート調整要求に応答して第２のデータレートで前記第１のＵＥから送られたメディアの第２のセットを受信することと、
前記メディアの第２のセットを前記インターワーキングゲートウェイから前記第２のネットワークに送ることと
をさらに備える、Ｃ１に記載の方法。
［Ｃ３］  
前記メディアの第１のセットおよび前記メディアの第２のセットは、前記第２のネットワーク中の第２のＵＥへの送信のために前記第１のネットワーク中の前記第１のＵＥによって生成される、
Ｃ２に記載の方法。
［Ｃ４］  
前記メディアの第２のセットは、前記第１のネットワークにおいて追加されたＥＣＮマーキングを削除するように修正され、前記送ることは、前記修正されたメディアを送ることを備える、
Ｃ２に記載の方法。
［Ｃ５］  
前記輻輳の指示は、明示的輻輳指示輻輳遭遇（ＥＣＮ−ＣＥ）マーキングを備える、
Ｃ１に記載の方法。
［Ｃ６］  
前記ＥＣＮ−ＣＥマーキングを削除するように前記メディアの第１のセットを修正することと、
前記メディアの修正された第１のセットを前記第２のネットワークに送ることと
をさらに備える、Ｃ５に記載の方法。
［Ｃ７］  
前記第１のネットワークは、ＥＣＮ対応ネットワークであり、前記第２のネットワークは、非ＥＣＮ対応ネットワークである、
Ｃ１に記載の方法。
［Ｃ８］  
前記データレート調整要求は、ＴＭＭＢＲを備える、
Ｃ１に記載の方法。
［Ｃ９］  
前記第１のネットワークおよび前記第２のネットワークは、ワイヤレス通信ネットワークである、
Ｃ１に記載の方法。
［Ｃ１０］  
第１のデータレートで生成されたメディアの第１のセットを受信することと、ここにおいて、前記メディアの第１のセットは、第１のネットワーク内で生成されたネットワーク輻輳の指示を含む、
前記指示に応答して、前記第１のネットワーク中の第１のＵＥにより低いデータレートを要求するためのデータレート調整要求を与えることと
をコンピュータに行わせるためのコードを含むコンピュータ可読媒体を備える、
コンピュータプログラム製品。
［Ｃ１１］  
前記コードは、前記データレート調整要求に応答して第２のデータレートで前記第１のＵＥから送られたメディアの第２のセットを受信することと、前記メディアの第２のセットを第２のネットワークに送ることとを前記コンピュータに行わせるためのコードをさらに含む、
Ｃ１０に記載のコンピュータプログラム製品。
［Ｃ１２］  
前記メディアの第１のセットおよび前記メディアの第２のセットは、前記第２のネットワーク中の第２のＵＥへの送信のために前記第１のネットワーク中の前記第１のＵＥによって生成される、
Ｃ１１に記載のコンピュータプログラム製品。
［Ｃ１３］  
前記メディアの第２のセットは、前記第１のネットワークにおいて追加されたＥＣＮマーキングを削除するように修正され、前記送ることは、前記修正されたメディアを送ることを備える、
Ｃ１１に記載のコンピュータプログラム製品。
［Ｃ１４］  
前記輻輳の指示は、ＥＣＮ−ＣＥマーキングを備える、
Ｃ１０に記載のコンピュータプログラム製品。
［Ｃ１５］  
前記コードは、前記ＥＣＮ−ＣＥマーキングを削除するように前記メディアの第１のセットを修正することと、前記メディアの修正された第１のセットを前記第２のネットワークに送ることとを前記コンピュータに行わせるためのコードをさらに備える、
Ｃ１４に記載のコンピュータプログラム製品。
［Ｃ１６］  
前記第１のネットワークは、ＥＣＮ対応ネットワークであり、前記第２のネットワークは、非ＥＣＮ対応ネットワークである、
Ｃ１０に記載のコンピュータプログラム製品。
［Ｃ１７］  
前記データレート調整要求は、ＴＭＭＢＲを備える、
Ｃ１０に記載のコンピュータプログラム製品。
［Ｃ１８］  
第１のデータレートで生成されたメディアの第１のセットを第１のネットワークから受信するように構成された第１のネットワークインターフェースモジュールと、ここにおいて、前記メディアの第１のセットは、前記第１のネットワーク内で生成されたネットワーク輻輳の指示を含む、
前記指示に応答して、データレート調整要求を生成するように構成されたプロセッサモジュールと
を備え、前記第１のネットワークインターフェースモジュールは、前記データレート調整要求を前記第１のネットワーク中の第１のＵＥに与えるように構成される、
インターワーキングゲートウェイ。
［Ｃ１９］  
前記第１のネットワークインターフェースモジュールは、前記データレート調整要求に応答して第２のデータレートで前記第１のＵＥから送られたメディアの第２のセットを受信するようにさらに構成され、前記ゲートウェイは、前記メディアの第２のセットを第２のネットワークに送るように構成された第２のネットワークインターフェースモジュールをさらに含む、
Ｃ１８に記載のゲートウェイ。
［Ｃ２０］  
前記メディアの第１のセットおよび前記メディアの第２のセットは、前記第２のネットワーク中の第２のＵＥへの送信のために前記第１のネットワーク中の前記第１のＵＥによって生成される、
Ｃ１９に記載のゲートウェイ。
［Ｃ２１］  
前記プロセッサモジュールは、修正されたメディアを生成するために前記メディアの第２のセットからＥＣＮマーキングを削除するようにさらに構成され、前記送ることは、前記修正されたメディアを送ることを備える、
Ｃ１９に記載のゲートウェイ。
［Ｃ２２］  
前記輻輳の指示は、ＥＣＮ−ＣＥマーキングを備える、
Ｃ１８に記載のゲートウェイ。
［Ｃ２３］  
前記プロセッサモジュールは、前記ＥＣＮ−ＣＥマーキングを削除するようにメディアの前記第１のセットを修正するように構成され、前記ゲートウェイは、前記メディアの修正された第１のセットを前記第２のネットワークに送るように構成された第２のネットワークインターフェースモジュールをさらに備える、
Ｃ２２に記載のゲートウェイ。
［Ｃ２４］  
前記第１のネットワークがＥＣＮ対応ネットワークであり、前記第２のネットワークが非ＥＣＮ対応ネットワークである、
Ｃ２３に記載のゲートウェイ。
［Ｃ２５］  
前記プロセッサモジュールは、前記データレート調整要求をＴＭＭＢＲとして生成するように構成される、
Ｃ１８に記載のゲートウェイ。
［Ｃ２６］  
前記第１のネットワークおよび前記第２のネットワークは、ワイヤレス通信ネットワークである、
Ｃ２３に記載のゲートウェイ。
［Ｃ２７］  
第１のデータレートで生成されたメディアの第１のセットを受信するための手段と、ここにおいて、前記メディアの第１のセットは、第１のネットワーク内で生成されたネットワーク輻輳の指示を含む、
前記指示に応答して、前記第１のネットワーク中の第１のＵＥにより低いデータレートを要求するためのデータレート調整要求を与えるための手段と
を備える、インターワーキングゲートウェイ。
［Ｃ２８］  
前記データレート調整要求に応答して第２のデータレートで前記第１のＵＥから送られたメディアの第２のセットを受信するための手段と、
前記メディアの第２のセットを第２のネットワークに送るための手段と
をさらに備える、Ｃ２７に記載のゲートウェイ。
［Ｃ２９］  
前記第１のネットワークおよび前記第２のネットワークは、ワイヤレス通信ネットワークである、
Ｃ２８に記載のゲートウェイ。
［Ｃ３０］  
前記第１のネットワークは、ＥＣＮ対応ネットワークであり、前記第２のネットワークは、非ＥＣＮ対応ネットワークである、
Ｃ２８に記載のゲートウェイ。
［Ｃ３１］  
第１のネットワーク中のＵＥから第２のネットワーク中のＵＥにメディアの第１のセットを送ることと、
メディアの第１のセットを前記送ることに応答して、インターワーキングゲートウェイからデータレート調整要求を受信することと、
前記データレート調整要求に応答して、調整されたレートで前記第２のネットワーク中の前記ＵＥにメディアの第２のセットを送ることと
を備える、通信を行うための方法。
［Ｃ３２］  
前記データレート調整要求がＴＭＭＢＲを備える、Ｃ３１に記載の方法。
［Ｃ３３］  
メディアの第１のセットを送ることに応答して、インターワーキングゲートウェイからデータレート調整要求を受信することと、前記データレート調整要求に応答して、調整されたレートで第２のネットワーク中のＵＥにメディアの第２のセットを送ることとをコンピュータに行わせるためのコードを含むコンピュータ可読媒体を備える、
コンピュータプログラム製品。
［Ｃ３４］  
前記データレート調整要求は、ＴＭＭＢＲを備える、
Ｃ３３に記載のコンピュータプログラム製品。
［Ｃ３５］  
第２のネットワーク中のＵＥにメディアの第１のセットを送るように構成された送信機モジュールと、
メディアの第１のセットを前記送ることに応答して、インターワーキングゲートウェイからデータレート調整要求を受信するように構成された受信機モジュールと
を備え、前記送信機モジュールは、前記データレート調整要求に応答して、調整されたレートで前記第２のネットワーク中の前記ＵＥにメディアの第２のセットを送るようにさらに構成される、
通信デバイス。
［Ｃ３６］  
第２のネットワーク中のＵＥにメディアの第１のセットを送るための手段と、
メディアの第１のセットを前記送ることに応答して、インターワーキングゲートウェイからデータレート調整要求を受信するための手段と、
前記データレート調整要求に応答して、調整されたレートで前記第２のネットワーク中の前記ＵＥにメディアの第２のセットを送るための手段と
を備える、通信デバイス。
［Ｃ３７］  
第１のネットワーク中の第１のＵＥからデータレート調整要求を受信することと、ここにおいて、前記データレート調整要求は、第２のネットワーク中の第２のＵＥから与えられたメディア中の輻輳指示の受信に応答して前記第１のＵＥから与えられる、
前記第１のネットワークと前記第２のネットワークとの間でＥＣＮ機能の統合を行うように前記レート調整要求を処理することと
を備える、インターワーキングゲートウェイにおいて通信を行うための方法。
［Ｃ３８］  
前記レート調整要求を前記処理することは、前記データレート調整要求に合わせて調整されたデータレートを前記第２のＵＥがサポートすることができると前記インターワーキングゲートウェイが判断した場合、前記第２のＵＥにデータレート調整情報をフォワーディングすることを含む、
Ｃ３７に記載の方法。
［Ｃ３９］  
前記インターワーキングゲートウェイは、前記インターワーキングゲートウェイと前記第２のＵＥとの間のネゴシエーションセッション中に調整されたデータレートを前記第２のＵＥがサポートすることができると判断する、
Ｃ３８に記載の方法。
［Ｃ４０］  
前記レート調整要求を前記処理することは、データレート低減要求に合わせて、前記第２のＵＥから受信されたメディアをトランスコードすることを含む、
Ｃ３７に記載の方法。
［Ｃ４１］  
前記トランスコードすることは、前記第１のネットワークにおける輻輳を緩和するために、前記第２のＵＥから受信された前記メディアのメディアデータレートを低下させることを含む、
Ｃ４０に記載の方法。
［Ｃ４２］  
前記インターワーキングゲートウェイにおいて、前記第２のネットワーク中の第２のＵＥから与えられた前記メディアを受信することと、
ＥＣＮマーキングフォーマットに合わせて前記メディアをマーキングすることと、
前記第１のＵＥへの送信のために前記マーキングされたメディアを前記第１のネットワークに与えることと
をさらに備える、Ｃ３７に記載の方法。
［Ｃ４３］  
前記マーキングすることがＥＣＴマーキングを備える、
Ｃ４２に記載の方法。
［Ｃ４４］  
データレート調整要求を受信することと、ここにおいて、前記データレート調整要求は、第２のネットワーク中の第２のＵＥから与えられたメディア中の輻輳指示の受信に応答して第１のＵＥから与えられる、第１のネットワークと前記第２のネットワークとの間でＥＣＮ機能の統合を行うように前記レート調整要求を処理することとをコンピュータに行わせるためのコードを含むコンピュータ可読媒体を備える、
コンピュータプログラム製品。
［Ｃ４５］  
前記コードは、前記データレート調整要求に合わせて調整されたデータレートを前記第２のＵＥがサポートすることができるとインターワーキングゲートウェイが判断した場合、前記第２のＵＥにデータレート調整情報をフォワーディングすることを前記コンピュータに行わせるためのコードを含む、
Ｃ４４に記載のコンピュータプログラム製品。
［Ｃ４６］  
前記コードは、前記インターワーキングゲートウェイと前記第２のＵＥとの間のネゴシエーションセッション中に調整されたデータレートを前記第２のＵＥがサポートすることができると判断することを前記コンピュータに行わせるためのコードを含む、
Ｃ４４に記載のコンピュータプログラム製品。
［Ｃ４７］  
前記コードは、前記データレート低減要求に合わせて、前記第２のＵＥから受信されたメディアをトランスコードすることを前記コンピュータに行わせるためのコードを含む、
Ｃ４４に記載のコンピュータプログラム製品。
［Ｃ４８］  
前記コードは、前記第１のネットワークにおける輻輳を緩和するために、前記第２のＵＥから受信された前記メディアの前記メディアデータレートを低下させるようにトランスコードすることを前記コンピュータに行わせるためのコードを含む、
Ｃ４６に記載のコンピュータプログラム製品。
［Ｃ４９］  
前記コードは、前記インターワーキングゲートウェイにおいて、前記第２のネットワーク中の第２のＵＥから与えられた前記メディアを受信することと、
ＥＣＮマーキングフォーマットに合わせて前記メディアをマーキングすることと、
前記第１のＵＥへの送信のために前記マーキングされたメディアを前記第１のネットワークに与えることと
を前記コンピュータに行わせるためのコードを含む、
Ｃ４４に記載のコンピュータプログラム製品。
［Ｃ５０］  
前記マーキングすることは、ＥＣＴマーキングを備える、
Ｃ４９に記載のコンピュータプログラム製品。
［Ｃ５１］  
第１のネットワーク中の第１のＵＥからデータレート調整要求を受信するように構成された第１のネットワークインターフェースモジュールと、前記データレート調整要求は、第２のネットワーク中の第２のＵＥから与えられたメディア中の輻輳指示の受信に応答して前記第１のＵＥから与えられる、
前記第１のネットワークと前記第２のネットワークとの間でＥＣＮ機能の統合を行うように前記レート調整要求を処理するように構成されたプロセッサモジュールと
を備える、インターワーキングゲートウェイ。
［Ｃ５２］  
前記プロセッサモジュールは、前記データレート調整要求に合わせて調整されたデータレートを前記第２のＵＥがサポートすることができると前記インターワーキングゲートウェイが判断した場合、前記第２のＵＥにデータレート調整情報をフォワーディングするように構成される、
Ｃ５１に記載のゲートウェイ。
［Ｃ５３］  
第２のネットワークインターフェースモジュールをさらに備え、前記プロセッサモジュールは、前記第２のネットワークインターフェースモジュールを通して前記インターワーキングゲートウェイと前記第２のＵＥとの間のネゴシエーションセッション中に調整されたデータレートを前記第２のＵＥがサポートすることができるかどうかを判断するように構成される、
Ｃ５１に記載のゲートウェイ。
［Ｃ５４］  
前記プロセッサモジュールは、前記データレート低減要求に合わせて、前記第２のＵＥから受信されたメディアをトランスコードするように構成される、
Ｃ５１に記載のゲートウェイ。
［Ｃ５５］  
前記プロセッサモジュールは、前記第１のネットワークにおける輻輳を緩和するために、前記第２のＵＥから受信された前記メディアの前記メディアデータレートを低下させることによってメディアをトランスコードするように構成される、
Ｃ５４に記載のゲートウェイ。
［Ｃ５６］  
前記プロセッサモジュールは、ＥＣＮマーキングフォーマットに合わせて前記第２のネットワーク中の第２のＵＥからの前記メディアをマーキングすることと、前記第１のＵＥへの送信のために前記マーキングされたメディアを前記第１のネットワークに与えることとを行うように構成される、
Ｃ５１に記載のゲートウェイ。
［Ｃ５７］  
前記マーキングすることは、ＥＣＴマーキングを備える、
Ｃ５６に記載のゲートウェイ。
［Ｃ５８］  
第１のネットワーク中の第１のＵＥからデータレート調整要求を受信するための手段と、ここにおいて、前記データレート調整要求は、第２のネットワーク中の第２のＵＥから与えられたメディア中の輻輳指示の受信に応答して前記第１のＵＥから与えられる、
前記第１のネットワークと前記第２のネットワークとの間でＥＣＮ機能の統合を行うように前記レート調整要求を処理するための手段と
を備える、インターワーキングゲートウェイ。
【図１】
0005619904.tif 000003
【図２】
0005619904.tif 000004
【図３】
0005619904.tif 000005
【図４】
0005619904.tif 000006
【図５】
0005619904.tif 000007
【図６】
0005619904.tif 000008
【図７】
0005619904.tif 000009
【図８】
0005619904.tif 000010
【図９】
0005619904.tif 000011
【図１０】
0005619904.tif 000012
【図１１】
0005619904.tif 000013
【図１２】
0005619904.tif 000014
【図１３】
0005619904.tif 000015
【図１４】
0005619904.tif 000016